(57)【要約】【課題】  コンパクトな構成でセンサの周囲の３６０度方向の平面内における物体の移動を検知するセンサを提供すること【解決手段】  特定方向に電波を出力し、出力した電波の反射波に基づき物体の移動を検知するセンサモジュール５０と、出力された電波を、センサを中心とする平面の３６０度方向に向けて放射するアンテナ５１を備える。アンテナは、電波を２方向に振り分ける円錐型の反射体６８、特定方向に進む電波を透過させるスリット６９と、２方向に振り分けられた電波を放射する開口部７０と、開口部から放射される電波の角度を調整する第一フィン７１，第二フィン７２を備える。上下に設けた遮断プレート６６により、垂直方向がつぶされ、水平方向に放射される電波の利得が上がる。【選択図】  図１５
2019032720.tif 000002
【特許請求の範囲】
【請求項１】
放射した電波に基づき物体を検出するセンサであって、
特定方向に電波を出力する出力手段と、
その出力された前記電波を、前記センサを中心とする平面の３６０度方向に向けて放射するアンテナを備えることを特徴とするセンサ。
【請求項２】
前記３６０度方向に向けての放射は、反射・回り込みの電波の性質を使い前記特定方向に進む電波を弱め、その特定方向以外の方向に進む電波を強めることで行うことを特徴とする請求項１に記載のセンサ。
【請求項３】
前記アンテナは、前記平面の方向に広がりがあり、その平面の方向と直交する方向には前記平面の方向の広がりよりも広がりが小さい検知領域を構成するように前記放射を行うことを特徴とする請求項１または２に記載のセンサ。
【請求項４】
前記アンテナは、前記出力される電波を遮る位置に配置され、前記出力手段から出力される電波の一部を反射してその進行方向を、前記特定方向と直交し相反する２方向に振り分ける反射体と、
前記反射体で反射されて振り分けられた電波を、前記特定方向に対する逆方向と、前記２方向に向けて放射する放射手段を備え、
前記反射体は、前記出力手段から出力する電波の一部を通過させるスリットを有し、そのスリットを通過した電波に基づき前記特定方向と同一方向に放射するようにしたことを特徴とする請求項１から３のいずれか１項に記載のセンサ。
【請求項５】
前記放射手段は、前記２方向の先に設けた開口部と、その開口部の周縁から前記特定方向と平行な方向に延びる金属製の第一フィンと、前記開口部の周縁から前記逆方向に延びる金属製の第二フィンを備え、
前記第一フィンと前記第二フィンの長さは、前記特定方向と直交する２方向に向けて放射する電波の広角範囲が基準角度以上になるようにし、
前記第二フィンに案内されて前記逆方向への放射を行うようにしたことを特徴とする請求項４に記載のセンサ。
【請求項６】
前記反射体は円錐型であって、その側面が複数段に傾きを変えることを特徴とする請求項４または５に記載のセンサ。
【請求項７】
前記出力手段から出力される電波のうち、前記特定方向と、前記２方向のそれぞれに対して直交する方向に進む電波を遮断する遮断プレートを備えることを特徴とする請求項４から６のいずれか１項に記載のセンサ。
【請求項８】
前記アンテナは、矩形状の枠を有し、
その枠に前記出力手段を装着し、ネジ止めすることなく連結し、
連結した状態では前記出力手段のグランドに前記アンテナが電磁的に接地するようにしたことを特徴とする請求項１から７のいずれか１項に記載のセンサ。
【請求項９】
前記アンテナの表面に金属膜を成膜した状態にすることを特徴とする請求項１から８のいずれか１項に記載のセンサ。
【請求項１０】
前記平面の方向の向きを調整する調整手段を備えたことを特徴とする請求項１から９のいずれか１項に記載のセンサ。
【請求項１１】
室内に設置され、室外の物体を検知することを特徴とする請求項１から１０のいずれか１項に記載のセンサ。
【請求項１２】
前記室内に設置され、前記室内とその室内と反対側の室外を含む撮影範囲を撮影する撮影手段と、
前記撮影範囲での物体の移動を検知する請求項１から１１のいずれか１項に記載のセンサと、
前記センサの検知出力に基づき前記撮影手段の動作を制御する制御手段を備えることを特徴とする電子機器。
【請求項１３】
車室内の所定位置に固定する固定手段を備え、
前記撮影手段と、前記センサは、同じ前記固定手段により前記車室内の所定位置に設置されることを特徴とする請求項１２に記載の電子機器。
【請求項１４】
前記車室内の所定位置は、前記車両のフロントガラスであり、前記平面が水平面になるように取り付けられることを特徴とする請求項１３に記載の電子機器。
【請求項１５】
前記センサと、前記撮影手段の向きがそれぞれ独立して回転させて調整する調整機構を備えたことを特徴とする請求項１３または１４に記載の電子機器。
【請求項１６】
前記センサを回転させる手段は、前記撮影手段を回転させる手段よりもしっかり固定できるように構成したことを特徴とする請求項１３から１４のいずれか１項に記載の電子機器。
【請求項１７】
前記撮影手段を実装したカメラケースは、車室内に取り付けた状態における前記センサを実装する本体ケースに突出した状態で連結機構を介して回転可能に取り付けられ、
前記連結機構は、前記取り付けた状態における前記車両の前後方向の回転を許容し、所定角度で前記カメラケースの姿勢を保持するようにしたことを特徴とする請求項１３から１６のいずれか１項に記載の電子機器。
【請求項１８】
前記撮影手段は、半天球よりも広い範囲を撮影する一つのカメラを備え、
前記カメラで撮影した映像の範囲内に前記カメラケースと前記本体ケースが写り込みにくくなるように、前記カメラケース上でのカメラの位置並びに向きと、前記本体ケースとの関係性が設定されていることを特徴とする請求項１７に記載の電子機器。
【請求項１９】
車両に固定する部分と、前記撮影手段を有する部分が着脱可能になっており、
前記撮影手段を有する部分は、前記車両に固定する部分に対して相反する両方向から取り付けられることを特徴とする請求項１２から１８のいずれか１項に記載の電子機器。
【請求項２０】
前記撮影手段を備える本体部分と、その本体部分を前記車両の所定位置に固定する固定部材を備え、
前記固定部材を前記車両に固定した場合、前記本体部分が前記固定部材より上側にある第一姿勢と、前記本体部分が前記固定部材より下側にある第二姿勢をとれる構造としたことを特徴とする請求項１２から１９のいずれか１項に記載の電子機器。
【請求項２１】
走行時に前記撮影手段が撮影するドライブレコーダーとして機能と、
駐車時に前記センサの検知出力に基づき前記撮影手段の動作を制御して撮影する機能を備えたことを特徴とする請求項１２から２０のいずれか１項に記載の電子機器。
【請求項２２】
前記撮影手段は、前記車両に取り付けた状態で、下側の半天球を含む当該半天球よりも広い範囲を撮影する一つのカメラを備えることを特徴とする請求項１２から２１のいずれか１項に記載の電子機器。
【請求項２３】
前記撮影手段は、前記車両に取り付けた状態で、下側の半天球以上の範囲を撮影する一つのカメラを備え、
そのカメラのレンズを通った光が結像する円形の範囲の直径が、撮像素子の長方形状の撮影領域における長辺の長さ以下で、短辺の長さより短くし、
前記車両の前後方向を撮影した画像が、前記撮像素子の前記長辺に沿った方向に結像するように構成したことを特徴とする請求項１２から２２のいずれか１項に記載の電子機器。
【発明の詳細な説明】
【技術分野】
【０００１】
本発明は、例えばセンサ及び電子機器等に関するものである。
【背景技術】
【０００２】
例えば特許文献１には、駐車時等においても動作するドライブレコーダーが開示されている。このドライブレコーダーは、例えば段落［００３９］に、「……カメラは、通常、車両の前方を撮影するように配置されるが、この機能を用いる場合には、例えば、車内を撮影できるようにカメラを車内側に向けて配置する。また、外部にバッテリー等の電源供給手段を設け、この電源供給手段からドライブレコーダーを動作させるために必要な電力をドライブレコーダーに対して供給することにより、駐車時等の車両の電源がＯＦＦの状態でも、ドライブレコーダーを継続的に動作させ、車内の状態を記録することができる。これにより、……例えば、駐車時に不審者が車内に侵入した際でも、車内を監視することができる」ことが記載され、例えば、段落［００６９］に、上記の駐車時に動作する機能のため「例えば、加速度センサに加えて動体を検出するための動体センサを設け、車両やドライブレコーダーに対する衝撃を検出して映像及び音声を記録すると共に、車内を移動する人物等を検出して映像及び音声を記録してもよい。」ことが記載されている。
【先行技術文献】
【特許文献】
【０００３】
【特許文献１】特開２０１４−１０２８００
【発明の概要】
【発明が解決しようとする課題】
【０００４】
従来の動体を検出するセンサの検知範囲は、例えば車室内などの特定方向を向いた比較的狭い範囲となっている。従って、例えば、センサを基準に平面の全周囲の検知範囲内における物体の移動等を検知したいという要求には対応できない。また、係る全周囲の検知範囲に対する物体検知は、特定方向を向いた検知範囲のセンサを複数配置し、その複数のセンサが異なる方向を検知するようにしており、一つのセンサで全周囲に対する検知をすることはできなかった。
【０００５】
本願の発明の目的はこれに限定されず、本明細書および図面等に開示される構成の部分から奏する効果を得ることを目的とする構成についても分割出願・補正等により権利取得する意思を有する。例えば本明細書において「〜できる」と記載した箇所を「〜が課題である」と読み替えた課題が本明細書には開示されている。課題はそれぞれ独立したものとして記載しているものであり、この課題を解決するための構成についても単独で分割出願・補正等により権利取得する意思を有する。課題が明細書の記載から黙示的に把握されるものであっても、本出願人は本明細書に記載の構成の一部を補正または分割出願にて特許請求の範囲とする意思を有する。またこれら独立の課題を組み合わせた課題も開示されている。
【課題を解決するための手段】
【０００６】
（１）放射した電波に基づき物体を検出するセンサであって、特定方向に電波を出力する出力手段と、その出力された前記電波を、前記センサを中心とする平面の３６０度方向に向けて放射するアンテナを備えることを特徴とする。
【０００７】
出力手段からは特定方向の一つに向けて電波を出力するだけでよく、アンテナでその電波の進行方向を適宜変更して３６０度方向に向けて電波を放射することができ、小型でコンパクトとなる。センサは、実施形態ではエリアセンサ４８に対応する。電波は、実施形態では準ミリ波であるが、ミリ波や準ミリ波以外のマイクロ波などとしても良い。物体は、実施形態では人や車両などに対応する。出力手段は、実施形態ではセンサモジュール５０に対応する。３６０度方向は、３６０度の全周に渡り連続して放射したり、部分的に放射されず断続的に放射したりするようにしても良い。連続して放射するほうが、検知エリアが連続するので好ましい。３６０度方向に放射される電波の利得、到達距離等は、全周に渡り均一でも良いし、異ならせても良く、検知したい領域の部分にあわせた放射パターンになるようにアンテナの形状等を設定すると良い。アンテナにより進路を変更しており、例えばライダーのように電波を出力する特定方向を振る機構はなく、構成が簡単となる。
【０００８】
（２）前記３６０度方向に向けての放射は、反射・回り込みの電波の性質を使い前記特定方向に進む電波を弱め、その特定方向以外の方向に進む電波を強めることで行うとよい。電波の性質を使うことで、電波の進路を適宜変え所望の方向に電波を放射でき、構成が簡単で良い。
【０００９】
（３）前記アンテナは、前記平面の方向に広がりがあり、その平面の方向と直交する方向には前記平面の方向の広がりよりも広がりが小さい検知領域を構成するように前記放射を行うとよい。平面と直交する方向の広がりを小さくすることで、相対的に平面の方向の広がりを広くし、遠くまで飛ばすことができるのでよい。直交する方向の広がりを狭くすることで、当該直交する方向の物体の移動に対してはピンポイントで検知することができるので良い。
【００１０】
（４）前記アンテナは、前記出力される電波を遮る位置に配置され、前記出力手段から出力される電波の一部を反射してその進行方向を、前記特定方向と直交し相反する２方向に振り分ける反射体と、前記反射体で反射されて振り分けられた電波を、前記特定方向に対する逆方向と、前記２方向に向けて放射する放射手段を備え、前記反射体は、前記出力手段から出力する電波の一部を通過させるスリットを有し、そのスリットを通過した電波に基づき前記特定方向と同一方向に放射するようにするとよい。出力手段から出力される電波は、特定方向と同一方向には、スリットを通過して放射し、特定方向と直交する２方向と、逆方向には、反射体と放射手段により放射するので、平面の周囲に向けて放射することができる。簡単な構造のアンテナを用いて、センサの周囲に平面の方向に広がりがある検知領域を形成できる。２方向は実施形態ではセンサモジュール〜出力される電波のＨ平面の方向である。
【００１１】
（５）前記放射手段は、前記２方向の先に設けた開口部と、その開口部の周縁から前記特定方向と平行な方向に延びる金属製の第一フィンと、前記開口部の周縁から前記逆方向に延びる金属製の第二フィンを備え、前記第一フィンと前記第二フィンの長さは、前記特定方向と直交する２方向に向けて放射する電波の広角範囲が基準角度以上になるようにし、前記第二フィンに案内されて前記逆方向への放射を行うようにすると良い。
【００１２】
開口部の両側に第一フィンと第二フィンを設けるといった簡単な構成で、特定方向以外の周囲に向けた電波の放射ができる。開口部を設けることで、入力する電界方向と垂直な方向に電界方向を変換して２つの開口部から２つのメインローブ放射をすることができる。第一フィンと第二フィンを設けることで、メインローブ程ではないが、一定の利得をそれぞれ４５度以上の放射エリアをメインローブの左右両側にそれぞれ確保できる。よって、入力に対して直交した２方向に高い利得を確保でき、広角に一定範囲の利得を確保可能となる。第二フィンを設けることで、特定方向と逆方向に向けた所望の利得の電波を放射できる。
【００１３】
金属製は、実施形態では本体の表面に金属膜を成膜して形成しているが、全体を金属で形成しても良い。実施形態のように金属膜を成膜して形成する方が、簡単であり、品質も安定するので好ましい。
【００１４】
（６）前記反射体は円錐型であって、その側面が複数段に傾きを変えるようにするとよい。このように段階的な円錐形状とするとで、開口部から放射する電波を広範囲に広げることができる。傾き形状を適宜に設定することで、２方向に進む電波の放射角度を制御でき、当該２方向からのメインローブ放射の高い利得方向を所望の状態に設定できる。
【００１５】
（７）前記出力手段から出力される電波のうち、前記特定方向と、前記２方向のそれぞれに対して直交する方向に進む電波を遮断する遮断プレートを備えるとよい。当該直交する方向に広がる電波を抑えることができ、２方向へ進む電波を増やすことができる。電波の放射領域を直交する両方向から押しつぶして２方向に進む電波を広げることができる。この２方向が、平面方向ともなる。直交する方向は、実施形態では、上下方向に対応する。
【００１６】
（８）前記アンテナは、矩形状の枠を有し、その枠に前記出力手段を装着し、ネジ止めすることなく連結し、連結した状態では前記出力手段のグランドに前記アンテナが電磁的に接地するようにするとよい。これによりアンテナと出力手段の組み付けが簡単に行え、センサの組立が容易となる。
【００１７】
（９）前記アンテナの表面に金属膜を成膜した状態にするとよい。金属膜を成膜することで金属製のアンテナが構成され、金属膜を成膜する本体の材質は金属に限られなくなるので、例えばプラスチックなど複雑な形状でも成形が容易で、軽量・安価なものを選択することができるのでよい。膜厚を調整することで、反射体・第一フィン・第二フィン・遮断プレートの機能を所望のものにすることが簡単にできる。成膜は、例えばメッキ処理や蒸着処理で行うと良い。
【００１８】
（１０）前記平面の方向の向きを調整する調整手段を備えると良い。調整手段により平面の向きを調整すると、調整後の平面内での検知ができる。検知したい向きに平面を持って行ける。例えば、平面を水平にすると、例えば平面内での接近監視を行うのに適する。例えば平面を垂直にすると、例えばゲート通過検知を行うのに適する。
【００１９】
（１１）室内に設置され、室外の物体を検知するようにするとよい。このようにすると、室内に設置した状態で室外の物体の移動も検知することがでる。検知エリアがセンサの周囲の３６０度方向であるため、室内も室外も監視領域となる。また、センサを基準に室外の検知エリアと室内の検知エリアが反対側にあっても検知できるので良い。室内は、実施形態では車室内に対応し、室外は車両に対応する。例えば車両の場合、平面方向の向きが、地面と水平になるようにして設置すると、センサの検知領域は車両の外の周囲となる。車両の周囲に存在・移動する人その他の物体を検知でき、接近が行える。室内と室外の境界には、ガラスその他の電波を透過する部材があるとよい。
【００２０】
（１２）前記室内に設置され、前記室内とその室内と反対側の室外を含む撮影範囲を撮影する撮影手段と、前記撮影範囲での物体の移動を検知する（１）から（１１）のいずれかに記載のセンサと、前記センサの検知出力に基づき前記撮影手段の動作を制御する制御手段を備えると良い。
【００２１】
センサの検知領域は平面方向に広がりがあるので、撮影範囲が室内と、その室内と反対側の室外のように異なる方向を向いていても例えば当該室内と室外に検知領域が入るように平面方向の向きを設定することで、撮影範囲での物体の移動を検知することができる。物体の移動に基づき撮影手段の動作を制御することで、移動する物体の撮影を適切に行える。室内は、例えば実施形態では車室内に対応し、室外は例えば車両の前方に対応する。（１０）の調整手段を備えたセンサとの組み合わせでは、例えば調整手段により平面方向の向きが、地面と水平になるように調整すると、一つのセンサで室内例えば車室内と室外例えば車両前方という１８０度反対方向の撮影範囲での物体の移動を広範囲で検知することができる。また、車両の場合、センサの検知領域が水平になるように調整すると、車両の前方以外も検出できるので、例えば制御手段の制御により車室内に侵入する際や、車両にぶつかる際も撮影することができるので良い。
【００２２】
撮影手段は実施形態ではセンサと一体に実装しているが、別体で構成しても良い。制御は、例えば撮影の開始・停止や、撮影手段で撮影した映像の記録の開始等がある。電子機器は、ドライブレコーダー、セキュリティ装置等の車載機器や、コミュニケーションをとる機器などがある。コミュニケーションをとる機器は、例えばコミュニケーションロボットや、アマゾン・エコーのようにマイクとスピーカーだけで機械と対話するものなど、センサで検知したことにより報知・回答を行うものとするとよい。報知・回答は、音声や表示等があり、特に対話音声を発生するものとするとよい。コミュニケーションをとるときに、コミュニケーションをとる相手の存在の有無をセンサの検知出力に基づいて行うと良い。
【００２３】
(１３)車室内の所定位置に固定する固定手段を備え、前記撮影手段と、前記センサは、同じ前記固定手段により前記車室内の所定位置に設置されるようにするとよい。コンパクトに実装できるので良い。固定手段は実施形態では取付板部と両面テープに対応する。
【００２４】
（１４）前記車室内の所定位置は、前記車両のフロントガラスであり、前記平面が水平面になるように取り付けられるようにするとよい。周囲を監視・撮影するためには、車両の車室内のセンターに配置するのは望ましいが、例えば  天井・ルームランプ付近等に付けると、水平方向に電波を発すると外に出ないので少し下げて吊らした位置にしなければならなくなる。例えばフロントガラスの上端は、車室内の天井よりは下がっている。フロントガラスに取り付けることで、吊り下げが不要でしっかり固定して電子機器の姿勢を保持でき、電波の透過部材となるガラス面に取り付けることで、センサから放出される電波を車両の外に出力できる。
【００２５】
（１５）前記センサと、前記撮影手段の向きがそれぞれ独立して回転させて調整する調整機構を備えるとよい。このようにすると、センサと撮影手段のそれぞれを所望の向きに設定できるので、センサの検知領域と、撮影手段の撮影範囲の関係が適切な状態にすることができる。例えば、前記センサを実装する本体ケースは、前記固定手段に対して所定角度範囲内で回転可能に配置され、前記撮影手段を実装したカメラケースは、前記本体ケースに対して所定角度範囲内で回転可能に装着されるようにすると良く。特に、前記本体ケースの回転中心と、前記カメラケースの回転中心は、同軸或いは平行に配置するとよい。
【００２６】
このようにすると、本体ケースを回転させてセンサの向きを調整する際、本体ケースと一体になってカメラケースが本体ケースの回転中心を中心に回転移動したとしても、そのときの回転面は、本体ケースに対するカメラケースの回転面と等しい。よって、本体ケースの回転に伴いカメラケースが回転して撮影手段の撮影方向が変位しても、その後にカメラケースを単独で所定角度回転させ、撮影手段による撮影方向を所望の位置にすることができる。
【００２７】
固定手段に対する本体ケースの配置は、実施形態では固定手段と一体のリング部に対して着脱自在となっているが、回転が許容されているが着脱できない構成としても良い。着脱できる方が、汎用性があるのでよい。着脱方式だと、例えば実施形態のようにナット部材で固定する方式をとれ、しっかりと固定できるのでよいし、異なる２方向からの取り付けができる構成に対応できるのでよい。
【００２８】
撮影方向が前方だけであれば、カメラの向きはシビアに調整する必要も無く、センサの検知範囲とカメラ向きを前方に向けておけば足りる。これに対し、前方と後方といった反対方向を含む平面内を検知するセンサの場合、センサの角度は重要となる。水平平面に合わせないと、特に片方の領域が検知できなくなるおそれが高くなる。
【００２９】
（１６）前記センサを回転させる手段は、前記撮影手段を回転させる手段よりもしっかり固定できるように構成するとよい。このようにするとセンサの向きはしっかり固定することができ、所望の向き、例えば水平を維持できるのでよく、撮影手段の向きはセンサの固定よりは緩やかな固定であり、固定手段を介して車室内で設置した状態でも回転させて撮影範囲の調整がしやすくなるので良い。例えば側面同士で固定すると、しっかりと固定でき、周面同士で固定すると、回りやすく緩やかな固定を採りやすいでよい。
【００３０】
（１７）前記撮影手段を実装したカメラケースは、車室内に取り付けた状態における前記センサを実装する本体ケースに突出した状態で連結機構を介して回転可能に取り付けられ、前記連結機構は、前記取り付けた状態における前記車両の前後方向の回転を許容し、所定角度で前記カメラケースの姿勢を保持するようにすると良い。
【００３１】
前後方向に回転することで、例えば、車両の前方を含む領域を撮影する第一位置(第一姿勢)から後方側に回転移動して第二位置に位置させると、第一位置の時に撮影していた撮影領域よりも上端位置は低くなるがそれに伴い第一位置の時では撮影できなかった後ろ側の領域も撮影可能になる。カメラケースの前後方向の回転が許容されており、所定角度でカメラケースの姿勢が保持されるので、例えば走行／駐車の状況に合わせてそれぞれに適した位置にカメラケースを向かせてその姿勢を保持することができるので、状況に適した映像を撮影できるのでよい。
【００３２】
前後方向の回転は、実施形態では斜め前方から下方を経て斜め後方までの範囲を回転するものに対応するが、これに限ることは無く、例えば、車両の前方を含む領域を撮影する姿勢から、撮影領域の上端位置が下がるようにカメラケースの下端が後ろ側に向けて移動するがその下端が後方を向くまでは移動しないものでもよい。
【００３３】
（１８）前記撮影手段は、半天球よりも広い範囲を撮影する一つのカメラを備え、前記カメラで撮影した映像の範囲内に前記カメラケースと前記本体ケースが写り込みにくくなるように、前記カメラケース上でのカメラの位置並びに向きと、前記本体ケースとの関係性が設定されるとよい。
【００３４】
本体ケースやカメラケースが、カメラで撮影する映像に映り込みにくくなるので、車外の景色や、車室内の様子を見やすく採ることができる。映り込みにくくなる関係性は、例えば、カメラケースの回転に伴うカメラの撮影範囲内に、本体ケース等が写らないか、影響が少ない範囲で写るような関係に設定すると良い。カメラの撮影範囲に存在する部分をできるだけ少なくする形状にすると良く、例えば、本体ケース・カメラケースの寸法形状をできるだけ小さくしたり、カメラの死角は円錐形になるので、カメラケースをその円錐形に近い形状や内接する矩形状等にしたりするとよい。
【００３５】
（１９）車両に固定する部分と、前記撮影手段を有する部分が着脱可能になっており、前記撮影手段を有する部分は、前記車両に固定する部分に対して相反する両方向から取り付けられるようにするとよい。このようにすると、車両における固定する部分の位置が一定の状態で、カメラの位置を変位させることができ、カメラの撮影範囲を調整可能となる。相反する両方向は、電子機器を車両に固定した状態で、車両の左右方向とするとよい。このようにすると、例えば右ハンドルや左ハンドなどに応じて、本体ケースを運転手等が操作しやすい位置に置くことができる。本体ケースを、使用状況に応じた適切な位置に配置でき、取付のバリエーションが増えるので良い。
【００３６】
（２０）前記撮影手段を備える本体部分と、その本体部分を前記車両の所定位置に固定する固定部材を備え、前記固定部材を前記車両に固定した場合、前記本体部分が前記固定部材より上側にある第一姿勢と、前記本体部分が前記固定部材より下側にある第二姿勢をとれる構造とするとよい。
【００３７】
このようにすると、例えば撮影手段で前方が撮影可能な位置でできるだけ上方に位置させることができる。例えばフロントガラスの上方領域にマスク等されている車両があり、そのような所領にはマスクされた部分に第二姿勢で固定部材を取付け、下側に下げた位置に本体部分を位置させて前方撮影可能とする。そのようなマスクがない車両では、第一姿勢で固定部材を取付、本体部分をできるだけ高い位置に配置し、前方をできるだけ高い位置まで撮影できるようにする等、状況に応じた取り付け態様がとれる。
【００３８】
第一姿勢と第二姿勢をとれる構造は、例えば、本体部分が回転可能に支持(実施形態のように着脱可能でもよいし、着脱不能でも良い)される場合に、その支持部分の外周面に接するか、或いは連結部材を介して接続されて、接する部分において片方の多く突出するようにすると良い。
【００３９】
特に（１６）との組み合わせにすれば、取付板をフロンドガラスに接着固定する際に、リングが取付板よりも上方に位置する第一姿勢と、下側に位置する第二姿勢の２つのパターンに対して、取付部材の左右いずれからもドライブレコーダー本体を装着できる２パターンがあるので、合計２×２の４つのパターンとなり、バリエーションが豊富となり面白みがある。
【００４０】
（２１）走行時に前記撮影手段が撮影するドライブレコーダーとして機能と、駐車時に前記センサの検知出力に基づき前記撮影手段の動作を制御して撮影する機能を備えるとよい。このようにすると、走行時はドライブレコーダーとして機能し、駐車時はセキュリティとして機能する。センサの検知出力に基づき撮影手段の動作を制御するため効率よく撮影等できる。例えば、人や物（車両・ドア等）の接近等を検知した場合に撮影開始等することで、車内に人が侵入する前から撮影し、車両・ドア等がぶつかる前等から撮影等することができる。また、駐車中に常時起動したり、録画したりすると、電力消費が大きく、車両のバッテリーが上がったり、外部電源の持ち時間が短くなるが、物体の接近時等の必要なときに動作させることで、バッテリーの持ちを長くするのでよい。走行時に撮影は、走行中の全期間に限るものではなく、走行している間の適宜の期間に撮影すれば足りる。駐車時のセンサも必ずしも駐車中の全期間にわたり連続して動作しても良いが、課なら次子も連続して動作する必要は無く、バッテリーの持ちを良くするため等から間欠動作したり、一定時間動作したら停止したりするなどしても良い。動作を制御は、例えば撮影手段を起動するしたり、撮影した映像を記録手段に記録したりすること等がある。
【００４１】
（２２）前記撮影手段は、前記車両に取り付けた状態で、下側の半天球を含む当該半天球よりも広い範囲を撮影する一つのカメラを備えるとよい。１つのカメラで室内・車両の周囲・前方上方を撮影できる。これにより、例えば半天球の部分がカバーできる水平から下方領域に加え、斜め上方領域も撮影できるので、例えば走行中には信号機等の上方にあるものも撮影できるので良い。また、半天球の部分により車両の室内並びに車両の外部周囲を撮影できるので、例えば駐車中のセキュリティ監視に利用できるので良い。
【００４２】
（２３）前記撮影手段は、前記車両に取り付けた状態で、下側の半天球以上の範囲を撮影する一つのカメラを備え、そのカメラのレンズを通った光が結像する円形の範囲の直径が、撮像素子の長方形状の撮影領域における長辺の長さ以下で、短辺の長さより短くし、  前記車両の前後方向を撮影した画像が、前記撮像素子の前記長辺に沿った方向に結像するように構成するとよい。このようにすると、撮像素子の撮影領域内における円形の範囲の外側の無駄になるエリアが削減でき、被写体も大きく撮影できるのでよい。撮影した画像の内、前後方向の画像は全て撮像素子に撮影領域に入るため、車両の前方の風景や車室内の状態は撮影できる。イメージサークルの撮像素子の撮影領域外になる部分は、車両の左右方向であるので、さほど問題は無い。すなわち、例えば従来の２つのカメラで前方景色と後方・車内を撮影していたドライブレコーダーとは同程度或いはそれ以上の範囲が撮影でき、また、例えば半天球よりも広い範囲範囲を撮影する場合には、撮像素子の撮影領域外になり受光できない部分は、車両の天井が撮影されてしまい、外の景色が写らない領域であるので、記録できなくても問題は無い。左右方向の一部が撮影できないデメリットよりも、撮像素子を有効利用できて大きく撮影できるメリットの方が大きいのでよい。下側の半天球以上とは、半天球でも良いし、実施形態のように半天球よりも広い範囲でも良い。
【００４３】
上述した（１）から（２３）の発明は、任意に組み合わせることができる。例えば（１）に示した発明の全部または一部の構成に、（２）以降の少なくとも１つの発明の少なくとも一部の構成を加える構成としてもよい。特に、（１）に示した発明に、（２）以降の少なくとも１つの発明の少なくとも一部の構成を加えた発明とするとよい。また（１２） に示した発明に、他の少なくとも１つの発明の少なくとも一部の構成を加えた発明とするとよい。本願出願人は、これらの構成を含むものについても、補正・分割出願・意匠登録出願への変更出願等により特許権・意匠権等を取得する意思を有する。
【発明の効果】
【００４４】
本発明によれば、コンパクトな構成でセンサの周囲の３６０度方向の平面内における物体の移動を検知することができる。また例えば本明細書において「〜できる」と記載している効果を奏する物など、本明細書に記載の物などを提供することができる。
【００４５】
本願の発明の効果はこれに限定されず、本明細書および図面等に開示される構成の部分から奏する効果についても開示されており、当該効果を奏する構成についても分割出願・補正等により権利取得する意思を有する。例えば本明細書において「〜できる」と記載した箇所などは奏する効果を明示する記載であり、また「〜できる」と記載がなくとも効果を示す部分が存在する。またこのような記載がなくとも当該構成よって把握される効果が存在する。
【図面の簡単な説明】
【００４６】
【図１】本発明に係るドライブレコーダーの好適な一実施形態を示す外観図である。
【図２】そのドライブレコーダーのフロントガラスへの取り付けを説明する図である。
【図３】ブラケット並びにナット部材の図示を省略した図である。
【図４】ブラケットを示す図である。
【図５】ナット部材を取り外した状態を示す分解図である。
【図６】ブラケットに対する本体部の取り付けのバリエーションを説明する図である。
【図７】フロントガラスに対するブラケットの固定のバリエーションを説明する図である。
【図８】カメラ部の角度調整を説明する図である。
【図９】ドライブレコーダーの一部の部品の図示を省略した図である。
【図１０】ドライブレコーダーの一部の部品の図示を省略した図である。
【図１１】カメラ部とインナーケースとの連係構造を説明する図である。
【図１２】カメラ部を示す図である。
【図１３】本体部の筐体に実装される回路・部品等を示す図である。
【図１４】本体部の筐体に実装される回路・部品等を示す図である。
【図１５】エリアセンサを示す図である。
【図１６】アンテナを示す図である。
【図１７】アンテナを示す図である。
【図１８】アンテナを示す図である。
【図１９】アンテナから放射された電波の伝搬を説明する図である。
【図２０】ドライブレコーダーの一例を示す六面図である。
【図２１】別のドライレコーダーを示す図である。
【図２２】イメージサークルとイメージセンサの関係を説明する図である。
【図２３】スマートフォンの表示例を示す図である。
【図２４】スマートフォンの表示例を示す図である。
【図２５】スマートフォンの表示例を示す図である。
【図２６】ＰＣビューアの表示例を示す図である。
【図２７】ＰＣビューアの表示例を示す図である。
【発明を実施するための形態】
【００４７】
以下、本発明の実施形態について、図面を参照して説明する。これらの図面は、本発明が採用しうる技術的特徴を説明するために用いられるものである。記載されている装置の構成や形状等は単なる説明例であり、本発明は、これに限定されて解釈されるものではなく、本発明の範囲を逸脱しない限りにおいて、当業者の知識に基づいて、種々の変更、修正、改良を加え得るものである。
【００４８】
図１〜図６等に示すように、本形態のドライブレコーダー１０は、各種の処理を実行する本体部１１と、本体部１１に取り付けられるカメラ部１２と、本体部１１を車両１の所定位置に取り付けるためのブラケット１３を備える。車両１の所定位置は、例えば車両のフロントガラス２の車室内側の上方側であって中央付近とするのが好ましい。本実施形態のドライブレコーダー１０は、走行時等において車両１の前方や車室内等の所定のエリアを撮影し、記録するドライブレコーダー機能に加え、例えば駐車時等において車両１の前方や車室内等の所定のエリアを撮影し、記録するセキュリティ機能を備える。本体部１１には各種のセンサを備え、ドライブレコーダー機能並びにセキュリティ機能のいずれの機能の動作中においてもそのセンサの検知出力に基づいて撮影・記録の動作を制御するイベント記録モードと、常時記録する常時録画モードがある。
【００４９】
このセキュリティ機能を実現するため、車両の駐車中などイグニッションスイッチがＯＦＦで車両のバッテリーからの電源供給が受けられない車両の電源ＯＦＦの状態でも、ドライブレコーダー１０は、車両とは別に用意した電源装置から電源供給を受け、動作するとよい。また、このように別途電源装置を用意すると、駐車中に車両のバッテリーから電源供給ができる場合でも、電源装置から電源供給を受けるようにし、車両のバッテリーが上がってしまうのを抑止するので良い。
【００５０】
ドライブレコーダー１０は、撮影手段としてカメラを備え、そのカメラの撮影範囲は、車両の前方と、車室内というようにドライブレコーダー１０を基準に車両の前方側と後方側のように反対方向を含む広い範囲に設定している。さらに、本実施形態では、半天球よりも広い範囲を撮影する一つのカメラを備えている。ブラケット１３を介して本体部１１を車両１の所定位置に固定し、車両１への設置状態における本体部１１の下方にカメラ部１２を位置させ、本体部１１並びにカメラ部１２の姿勢を適正にした状態では、カメラ部１２は、ドライブレコーダー１０の下側の半天球を含む当該半天球よりも広い範囲を撮影する。このカメラは、カメラ部１２に実装している。
【００５１】
さらに本実施形態では、所定の検知領域内における人その他の物体の移動を検知するエリアセンサを備える。このエリアセンサは、本体部１１に実装している。例えば駐車時にイベント記録モード中の場合、エリアセンサを動作させ、検知領域内への人等の物体の侵入や検知領域内での移動を検知した場合に、カメラを起動・撮影開始を行い、所定のイベント条件を満たした場合、撮影した映像等を記録する。このようにすると、常時撮影し、常時録画する駐車記録モードに比べてバッテリーの低下を削減し、駐車中における長時間の監視が可能となる。
【００５２】
走行中におけるドライブレコーダーとしての機能は、例えばカメラで撮影範囲内を常時撮影し、記録手段に記録する常時録画モードと、所定のイベント条件が発生した際にその発生の前後の所定時間の録画ファイルを作成し、記録手段に記録するイベント記録モードを備える。所定のイベント条件は、一定以上の衝撃を検知した場合と、記録ボタンが押された場合がある。また、常時録画モードで記録中に、所定のイベント条件が発生した場合、イベントに基づくイベント記録も行う。常時録画モードに基づく記録エリアと、イベント記録に基づく記録エリアを分けている。例えば上書き記録する場合には、同じモードの記録エリアに対して上書きをする。これらの機能は、一般的なドライブレコーダーと同様であるため、その詳細な説明を省略する。
【００５３】
本実施形態のドライブレコーダー１０は、駐車中に撮影し録画するセキュリティ機能を備える。係る機能は、常時録画モードと、イベントのみ録画モードがある。常時録画モードは、常時撮影し、記録する駐車記録を行いつつ、駐車中に所定のイベント条件か発生した際にその発生の前後の所定時間の録画ファイルを作成し、記録手段に記録するイベント記録を行うモードである。所定のイベント条件は、例えば、「衝撃」、「傾斜」、「ドア開」等がある。「衝撃」は、車両に一定以上の衝撃があった場合であり、例えば加速度センサなどで検出する。「傾斜」は一定以上の車両の傾斜、ジャッキアップを検出した場合であり、例えば傾斜センサで検出する。この傾斜センサは、加速度センサであるが、衝撃検知のための加速度センサとは別のセンサである。「ドア開」は車両のドアが開いたことを検出するもので、例えば車室内の音圧の変化などをマイク等で検出する。この音圧を検出するドア開検知用のマイクは、記録用のマイクとは別のものであり、それら２つのマイクが、一つの筐体に実装される。
【００５４】
イベントのみ録画モードは、常時の駐車記録は行わず、上述したようにエリアセンサで接近監視を行い、接近を検知した場合に、カメラを起動・撮影開始を行い、所定のイベント条件が発生した際にその発生の前後の所定時間の録画ファイルを作成し、記録手段に記録するイベント記録を行うモードである。所定のイベント条件は、例えば、「近接近」、「衝撃」、「傾斜」、「ドア開」等がある。「近接近」は、エリアセンサを用いた接近監視モード中に人や車両が近づいたことを検知した場合であり、エリアセンサで検出する。「衝撃」はエリアセンサを用いた接近監視モード中に、車両に一定以上の衝撃があった場合であり、例えば加速度センサなどで検出する。「傾斜」はエリアセンサを用いた接近監視モード中に一定以上の車両の傾斜、ジャッキアップを検出した場合であり、例えば傾斜センサや加速度センサで検出する。「ドア開」はエリアセンサを用いた接近監視モード中に車両のドアが開いたことを検出するもので、例えば車室内の音圧の変化などをマイク等で検出する。
【００５５】
本実施形態のエリアセンサは、マイクロ波、ミリ波等の電波を放射し、その電波の反射波に基づき物体の移動を検知するセンサである。マイクロ波は、例えば、２０〜３０ＧＨｚの準ミリ波とするとよく、本実施形態では、２４ＧＨｚとした。放射した電波が到達する範囲が、検知領域となる。係るエリアセンサの検知領域は、水平平面内で撮影範囲と同じか広い範囲とするとよく、本実施形態では、平面の方向に広がりがあり、その平面の方向と直交する方向には平面方向の広がりよりも小さい検知領域とした。
【００５６】
そして、当該平面が水平平面内になるように設定すると、車両１の外側の全周囲における所定範囲内がエリアセンサの検知領域となり、例えば車両１に接近する人等がいない場合には、バッテリーの電力消費を可及的に抑制でき、一方、人等の移動を検知した場合には、カメラの撮影を行うことで、実際に車両１に対する接触・侵入があった場合にその瞬間を含む範囲内の映像等を記録することができる。
【００５７】
本体部１１は、筒状の筐体２０内に各種の電子部品・回路等が実装される。筐体２０は、車両１に取り付けた状態で上下に２分割された第一ケース２１と第二ケース２２とを突き合わせることで構成される。筐体２０は、全体的に円筒状の外形状を有し、筐体２０を構成する第一ケース２１と第二ケース２２は、その円筒を横たわった状態で上下に二分割して、断面が半円弧状になる。第一ケース２１の周面２１ｆの下端面と、第二ケース２２の周面２２ｊの上端面と、互いに付き合わせた状態で、第一ケース２１と第二ケース２２を連結して筐体２０を形成する。
【００５８】
第二ケース２２の上端面は、その外側半分の領域に上方に突出する壁部２２ｋを形成する。この壁部２２ｋの内周に、全周に渡って凹状に切欠かれた部分が形成される。一方、随省略するが、第一ケース２１の下端面は、その内側判断の領域に下方に突出する壁部を形成し、この壁部の外周に、全周に渡って凹状に切欠かれた部分が形成される。第一ケース２１と第二ケース２２を接合するに際し、互いの壁部を相手の凹状に切り欠かれた部分に嵌め合わすことで、水平面方向の移動も抑止された状態でしっかり連結される。さらに、第二ケース２２の周面２２ｊの上端面の軸方向中央付近に上方に向けて起立形成した爪片２２ｅを、第一ケース２１の下端面近傍の内周面に形成した凹部（図示省略）に嵌め込むことで、上下方向の離脱が抑止される。
【００５９】
このように第一ケース２１と第二ケース２２を付き合わせた状態で、止めねじ８８を用いて強固に固定する。すなわち、図１，図９（ａ）等に示すように、第一ケース２１の周面２１ｆの四隅付近には、内側に向けて突出する有底の円筒状部２１ｅを備える。円筒状部２１ｅの上端は、第一ケース２１の周面２１ｆに開口し、図示省略しているが、この円筒状部２１ｅの底面は、第一ケース２１の周面２１ｆの下端面よりも上方に一段奥まった位置に配置し、底面の中央には貫通孔が形成される。組立時において第一ケース２１の外側から円筒状部２１ｅ内に止めねじ８８を挿入すると、止めねじ８８のねじ部は底面に設けた貫通孔から下方に突出し、止めねじ８８の頭部が円筒状部２１ｅの底部に接触して留まる。
【００６０】
一方、第一ケース２１に設けた円筒状部２１ｅに対向する第二ケース２２の内周面には、それぞれ円筒状部２２ｉを設ける。この円筒状部２２ｉの上端位置は、第一ケース２１の周面２２ｊの上端面よりも上方に突出した位置に位置させる。円筒状部２２ｉの上端部位に雌ねじを形成し、この雌ねじに上記の止めねじ８８を締結し、第一ケース２１と第二ケース２２が確実に固定される。
【００６１】
［ブラケット１３と本体部１１の取付のバリエーション］
図３等に示すように、第一ケース２１，第二ケース２２の一方端部２１ａ，２２ａは、その外形寸法が一回り小さく形成され、その一方端部２１ａ，２２ａと本体部１１の軸方向の中央部位との間には段差が形成される。この段差を生じた壁面に鋸刃状の歯部２３が形成されている。本実施形態では、歯部２３は、第二ケース２２側にのみ形成している。さらに、第一ケース２１，第二ケース２２の一方端部２１ａ，２２ａの先端側外周面には、雄ねじ２４が形成されている。
【００６２】
図４等に示すように、ブラケット１３は、前記本体部１１を保持するリング部１６と、リング部１６の外周面１６ａ側に配置されフロントガラス２に貼付け固定する固定板部１７を備える。固定板部１７の取付面１７ａに両面接着テープの一方の接着面を貼付け、その両面接着テープの他方の接着面をフロントガラス２の所定位置に貼付けることでブラケット１３をフロントガラス２に接着固定する。固定板部１７の取付面１７ａは、リング部１６の外周面１６ａの接線方向に対して所定角度に傾斜した配置となる。係る傾斜した配置になるようにリング部１６と固定板部１７との間に連結部１８を有する。リング部１６は、無端の環状からなり、その直径は第一ケース２１，第二ケース２２の一方端部２１ａ，２２ａの外径に略一致するかやや大きくしている。
【００６３】
さらにリング部１６と固定板部１７との位置関係の構造が、固定板部１７を車両１に固定するに際し、リング部１６が固定板部１７より上側にある第一姿勢（図７（ｂ）参照）と、リング部１６が固定板部より下側にある第二姿勢（図７（ａ）参照）をとれる構造とした。第一姿勢と第二姿勢をとれる構造は、リング部１６の円周方向に沿った固定板部１７の中心から偏心した位置にリング部１６を接続するようにするとよい。また、例えば、リング部１６の円周方向に沿った固定板部１７の対辺の一方が、接線方向に多く突出するようにすると良い。
【００６４】
このようにすると、例えばカメラ部１２で前方が撮影可能な位置でできるだけ上方に位置させることができる。例えばフロントガラス２の上方領域にマスク等されている車両があり、そのような所領にはマスクされた部分に第二姿勢で固定板部１７を取付け、下側に下げた位置に本体部１１を位置させて前方撮影可能とする。そのようなマスクがない車両では、第一姿勢で固定板部１７を取付け、本体部１１をできるだけ高い位置に配置し、前方をできるだけ高い位置まで撮影できるようにする等、状況に応じた取り付け態様がとれる。
【００６５】
リング部１６の軸方向の両面には、その全周に渡って歯部２５が形成されている。この歯部２５は、第二ケース２２に形成した歯部２３と符合し合うように、同一寸法形状・同一ピッチに設定される。リング部１６は、軸方向両端が開口しており、その両方の開口部側から本体部１１を装着可能としている。
【００６６】
これにより、リング部１６を第一ケース２１，第二ケース２２の一方端部２１ａ，２２ａに装着すると、リング部１６はその中心軸を回転中心として第一ケース２１，第二ケース２２の一方端部２１ａ，２２ａに対して相対的に正逆回転可能となる。そして、第二ケース２２側に設けた歯部２３と、その歯部２３に対向するリング部１６に設けた歯部２５とを噛み合わせることで、当該回転が抑止される。そして、本実施形態では、リング部１６の両側に同形状の歯部２５を設けたため、本体部１１をリング部１６のどちらの開口部側から装着しても、第二ケース２２に設けた歯部２３と噛み合わせ、リング部１６と本体部１１との相対角度位置の制御を行うことができる。
【００６７】
第一ケース２１，第二ケース２２の一方端部２１ａ，２２ａを、リング部１６の一方の開口部から差し込むと、一方端部２１ａ，２２ａの先端部並びにそれに設けた雄ねじ２４はリング部１６の他方の開口部から外に突出する（図５等参照）。その突出した雄ねじ２４にナット部材２６を装着する。ナット部材２６は、扁平な円盤状のキャップ形態からなり、その内周面に雄ねじ２４に符合する雌ねじ２７が形成されている。そして、ナット部材２６の雌ねじ２７と、本体部１１の第一ケース２１，第二ケース２２の一方端部２１ａ，２２ａの雄ねじ２４とをしっかりと締結すると、リング部１６は、本体部１１の筐体２０とナット部材２６との間で所定の力で挟み付けられ、この状態では歯部２３，２５同士が噛み合ってリング部１６ひいてはブラケット１３の回転が抑止される。一方、ナット部材２６をゆるめた状態では、当該回転が許容される。よって、本体部１１とブラケット１３との相対角度位置関係を任意の位置に調整し、その位置で固定することができる。
【００６８】
上述したように、リング部１６に対し、本体部１１を左右いずれの側からも挿入できるようにし、リング部１６の両開口部に歯部２５を設けたため、当該いずれの方向から挿入した場合も、リング部１６と本体部１１の相対角度位置関係を任意の位置に調整し、その位置で固定することができる（図６等参照）。左右いずれの側から取り付けたかは、モード設定により登録する。ドライブレコーダーの制御部は、左右のモード設定に伴い、動作を制御する。例えば、当該左右のモード設定に従い、本体部・カメラ部のどの面が車両の前方／車室内を向いているかを認識し、それに基づく制御を行う。係る制御は、例えば、カメラ部で撮影した映像の前後の向きを決定したり、後述するように例えば車両の前方側は発光しないというようなＬＥＤの発光の有無の制御等を行ったりする。
【００６９】
このように、本体部１１の取付けを、リング部１６の両開口部の双方向から行い、リバーシブルにしたため、例えばドライブレコーダー１０の取付位置がフロントガラス２のセンターに確保できない場合、ブラケット１３に対する本体部１１の取付方向を変えることで、カメラ部１２をできるだけ中央にすることができる。本形態のカメラ部１２は、その撮影範囲がカメラ部１２を中心に下向きの半天球を含む斜め上方までの広い範囲としているため、カメラ部１２がフロントガラス２ひいては車両１の中央付近に配置することで、が、車両１の外側を左右に偏ることなく均等な範囲を撮影できるのでよい。例えば、ブラケット１３を運転席に取り付けた場合、本体部１１は、助手席側から装着することで、カメラ部１２をできるだけ中央側に配置する。
【００７０】
なお、ブラケット１３に対する左右両側からの取付を可能にする構造は、上述したようにカメラ部１２をできるだけ中央に持って行きたいという要求以外にも、例えば、右ハンドル／左ハンドルのいずれの運転者からもボタン操作・メモリカード脱着等の操作性を良くしたり、ドライブレコーダー１０の多くの部分がルームミラーの陰になり見えなくし、前方の視認性を良くしたりすることに対応できる。
【００７１】
さらにブラケット１３に対する左右両側からの取付を可能にする構造の利用態様としては、上述したようにカメラ部１２を中央に持って行くものとは逆に、カメラ部１２を左右の端の方に位置させ、片側を重点的に撮影したいという要求にも対応できる。片側が重点的とは、例えば、駐車場が片側壁の場合には、壁でない方に取付け、壁でない外側も広く撮れるようにすることなどがある。また、車室内の撮影において片側重点撮影の用途にも対応できる。
【００７２】
上述したように、ブラケット１３に対する本体部１１の装着方向の２パターンと、ブラケット１３のフロントガラス２への固定姿勢の２パターンを適宜組み合わせることで、合計４パターンの取り付け姿勢をとることができる。
【００７３】
［エリアセンサの検知領域の平面の調整機能］
上述したように、エリアセンサの検知領域は、例えば円盤のように平面の方向に広がりがあり、ドライブレコーダー１０を使用するにあたり、その平面を地面と平行な水平平面内に調整・セットする。この調整は、例えばナット部材２６を緩めた状態で本体部１１を回転させてエリアセンサの検知領域を水平にした状態でナット部材２６を締めて固定する。
【００７４】
本形態では、本体部１１の第一ケース２１，第二ケース２２の一方端部２１ａ，２２ａの先端面側に、水平ライン３０を設ける。この水平ライン３０は、エリアセンサの検知領域の平面内に位置しており、水平ライン３０が水平になるように角度調整すると、エリアセンサの検知領域も水平平面内になるように、エリアセンサを本体部１１に実装している。
【００７５】
この水平ライン３０は、本実施形態では、第一ケース２１と第二ケース２２を付き合わせて形成される接合面を利用している。図５等に示すように、ナット部材２６の中央部には円形の貫通孔２８が形成されている。この貫通孔２８から本体部１１の第一ケース２１，第二ケース２２の先端に形成した小半円状の凸部２１ｂ，２２ｂが外部に露出する。第一ケース２１の凸部２１ｂと第二ケース２２の凸部２２ｂの突き合わせ部分には、水平ライン３０が形成される。
【００７６】
ユーザは、水平ライン３０の角度を見ながら本体部１１の回転角度を調整し、水平ライン３０が水平になった状態でナット部材２６を締めて固定する（図８（ａ）等参照）ことで、エリアセンサの検知領域が水平平面内になるように本体部１１を正しい角度位置に設定する。このようにエリアセンサの検知領域の平面方向の向きが、地面と水平になるように調整すると、一つのエリアセンサで車両前方と車室内という１８０度反対方向の撮影範囲での物体の移動を検知することができ、また、車両１の外側の全周囲のどの方向からの物体の接近やうろつくなどの移動を検知することができる。そして、物体の移動に基づきカメラの動作を制御することで、移動物体の撮影を適切に行える。
【００７７】
［カメラ部の回転機構］
図８（ａ）等に示すように、本実施形態のドライブレコーダー１０は、本体部１１に対しカメラ部１２が回転可能に連係させる構成としている。本実施形態のカメラ部１２の撮影範囲は、カメラ部１２の視野方向を下向きにした場合に、下側の半天球を含み、その半天球よりも広い範囲とし、斜め上方まで撮影可能としている。よって、カメラ部１２の視野方向を真下にした状態でも、例えば車両の前方斜め上のエリアも撮影可能となる。一方、半天球以上の撮影範囲を撮影するカメラでは、その解像度は、撮影して得られる円形の画像のうち、中央部分が最も良く、周縁部分が最も低くなる。そのため、車両前方、特に斜め上方の景色は、撮影して得られる円形の映像の周縁部分に位置するため、解像度が悪くなる。
【００７８】
そこで、走行中は例えばカメラ部１２の視野方向を斜め前方に向け、前方斜め上方の撮影領域を広げ、前方景色を解像度が高く綺麗に撮影できるようにし、駐車中はカメラ部１２の視野方向を真下に向け、ドライブレコーダーを中心に水平平面内で３６０度、垂直平面内で１８０度以上の角度の範囲で撮影でき、車両１に対するいたずら、衝突事故、盗難等の状況を撮影可能となる。
【００７９】
本実施形態では、本体部１１内に水平３６０度の範囲を検知するエリアセンサを備え、そのエリアセンサの検知領域が水平平面内になるように調整して設置しており、本体部１１はその設置した状態を維持する必要があり、設置後においてカメラの視野方向を変えるために本体部１１を回転させることができない。そこで本実施形態では、上述したように本体部１１に対してカメラ部１２を回転可能にし、図８（ａ）に示すように、水平ライン３０が水平に位置した状態を保持しながら、カメラ部１２を前後に首振りするように回転可能に接続する構造にし、エリアセンサの検知領域は水平面内を維持しながらカメラでの撮影範囲を変更可能にした。
【００８０】
さらに本実施形態では、図８（ａ）に示すように、ドライブレコーダー１０を車両１に取り付けた状態において、例えばカメラ部１２が真下を向く姿勢を基準とすると、車両の前方側に向く姿勢と、後方側に向く姿勢のように、前後に首振りすることができるようにしている。このように前後に首振りできる構造としたため、例えば、本体部１１をリング部１６の左右いずれの側から装着し、本体部１１の車両１の前方側を向く側が反転した場合でも、その設置した状態において車両の前方にカメラ部１２を向かせることができる。
【００８１】
さらに、本実施形態では、エリアセンサの検知領域の向きは本体部１１とリング部１６との回転により調整し、カメラの向きの調整は本体部１１に対するカメラ部１２の回転角度を変更することを調整する。このように、エリアセンサの検知領域の向きと、カメラ部の視野方向の向きがそれぞれ独立して回転させて調整する調整機構を備えたことを特徴としている。これにより、エリアセンサとカメラ部１２のそれぞれを所望の向きに設定できるので、エリアセンサの検知領域と、カメラ部１２の撮影範囲の関係が適切な状態にすることができる。そして本実施形態では、本体部１１の回転中心と、カメラ部１２の回転中心は、同軸に配置している。これにより、本体部１１を回転させてエリアセンサの向きを調整する際、本体部１１と一体になってカメラ部１２が本体部の回転中心を中心に回転移動したとしても、そのときの回転面は、本体ケースに対するカメラケースの回転面と等しい。よって、本体ケースの回転に伴いカメラケースが回転して撮影手段の撮影方向が変位しても、その後にカメラケースを単独で所定角度回転させ、撮影手段による撮影方向を所望の位置にすることができる。
【００８２】
カメラ部１２の向きの調整は、例えば、ユーザがカメラ部１２の向きを見ながら目視による確認により所望の方向を向くようにしても良いし、例えば、前方に向ける際には回転可能な角度範囲の最大角度まで移動するようにしても良い。このように目視に基づく調整は、簡単に行えるので好ましい。また、後述するように、本実施形態では、ドライブレコーダー１０は、スマートフォン等の携帯端末と通信する機能を有し、例えばカメラ部１２で撮影した映像をリアルタイムで送信する機能を有する。スマートフォン等の携帯端末は、受信した映像を表示部９１に表示する（図８（ｂ）等参照）。ユーザは、この表示された映像を見ながら、カメラ部１２の向きを調整し、所望の撮影範囲になった状態でカメラ部１２の向きを確定すると良い。このようにすると、より精度良く所望のエリアを撮影範囲に設定できるのでなお良い。
【００８３】
カメラ部１２の調整可能な角度範囲は、例えば真下を向く姿勢を基準とし、片側に３０度、前後方向であわせて６０度の範囲とした。詳細は後述するが、カメラ部１２に実装したカメラの画角は、ドライブレコーダー１０を車両１に正しく取り付けた状態で、垂直面内で例えば２２０度としている。すると、真下を０度すると、前方の撮影範囲は１１０度となる。前方範囲が１１０度の範囲内だと、例えば、交差点において停止線の直前で一時停止した場合に、進行方向の信号機を十分に撮影することができない。従って、例えば、進行方向の信号機が青に変わってから発進した状態で横から追突されたような場合、青で発進したという自己の正当性を証明できないおそれがある。本実施形態では、そこで、カメラの向きを変更できるようにし、例えば３０度傾けると、１１０＋３０で１４０度となり、信号機の信号の色を撮影し、記録することができるのでよい。なお、例えば片側に４０度の範囲とすると、撮影範囲がより上方に広がり信号機をより確実に撮影範囲内に位置させるとともに、レンズの中央に近い箇所で撮影できるためよりクリアに撮影できるが、車室内の写らなくなる範囲が広くなるので好ましく無いし、３０度で撮影できるので３０度より大きくする必要性も低い。そこで本実施形態では、３０度の範囲とした。係る角度は、例えば、例えば信号機などの撮影したい対象物が、第一姿勢のカメラでは撮影範囲外にあり、回転させてカメラ部の向きを第二姿勢に変位させて撮影範囲内になるように、カメラの画角と、回転角度の関係を設定すると良い。
【００８４】
ドライブレコーダーをフロントガラスに取り付けた状態で垂直平面内にてカメラユニットを回転可能にし、斜め前を向く姿勢にすると、前方斜め上方の撮影領域が広がり、信号機も撮影できるドライブレコーダー優先姿勢となる。この場合、室内の撮影エリアは狭くなる。一方、カメラを下向きにすると、車両の水平方向の周囲３６０度が  垂直平面内で１８０度以上の角度で撮影でき、車内の状況撮影優先や、車内外のセキュリティ監視優先姿勢となる。
【００８５】
［カメラ部１２を回転させる具体的な構造等］
上述したように、本実施形態では、本体部１１に対してカメラ部１２を回転自在に取り付けているが、その具体的な構造は以下のようにしている。まず、本体部１１の筐体２０を構成する第一ケース２１と第二ケース２２は、上述したように円筒を上下に二分割し、一方端部２１ａ，２２ａ以外の部分は、全長に渡り同一径の半円弧状の周面となる。第一ケース２１の一方端部２１ａの周面には、２つの窪み部２１ｃを有する。この２つの窪み部２１ｃの一方に技術基準適合証明ラベル３１を貼付け、他方にシリアルナンバーのシールを貼付ける。この一方端部２１ａの部分には、ブラケット１３のリング部１６が装着される。本形態では窪み部２１ｃを設け、一方端部２１ａの周面よりも一段低くしたため、例えばリング部１６を回転させても、ラベル・シールが剥がれないし、使用状態ではラベル・シールはリング部１６で覆われているので経年劣化や誤って剥がれることもない。
【００８６】
筐体２０のリング部１６・ナット部材２６を装着する側と反対側の側面は、平坦面としている。本形態では、第二ケース２２の他方端面が、軸方向に対して直交する方向に延びる円板状の側面２２ｄとなり、第一ケース２１の端縁２１ｄは、その側面２２ｄの周縁に接した状態となる。このように本形態では、筐体２０の反対側の側面は、第二ケース２２の側面２２ｄが一枚で構成し、一方端部のように分割していないことを特徴としている。
【００８７】
この側面２２ｄ側には、その中央付近からやや上方位置に、矩形状の開口部２２ｇを設け、その開口部２２ｇの裏面側に電源コネクタ３４を配置する。また、その開口部２２ｇの下側には、２つの開口部２２ｈを上下に並ぶように設け、側面２２ｄの裏面側から開口部２２ｈを介して外側に突出するように、録画ボタン３３と、記録ボタン３２を配置する。図９（ｃ）に示すように、録画ボタン３３は、左右側面にそれぞれ板バネ３３ａが一体に形成され、その板バネ３３ａの先端を側面２２ｄの裏面に固定する。記録ボタン３２は、左右側面にそれぞれ板バネ３２ａが一体に形成され、その板バネ３３ａの先端を側面２２ｄの裏面に固定する。これらにより、各ボタンが押されると、筐体２０の内方に押し込まれるが、押す力を解除すると、板バネ３３ａ，３２ａの弾性復元力により各ボタンが押し戻されて側面２２ｄの外側に突出する。また、側面２２ｄの上方側には上下方向に延びる縦長のカード挿入口３５を設け、そのカード挿入口３５からメモリカード３６を着脱するようにしている。
【００８８】
この録画ボタン３３が単独で押下された場合、制御部は、録画の停止と再開を繰り返し行う。常時録画中に記録ボタン３２が押下された場合、制御部は、ワンタッチ記録を実行する。さらに録画停止中に録画ボタン３３と記録ボタン３２が同時に押下された場合、制御部は設定モードへ移行する。
【００８９】
下側の第二ケース２２には、その周面の軸方向の中央部位に、大きな開口部２２ｃを設ける。開口部２２ｃは、周方向に沿って帯状に開口した形状となり、ドライブレコーダー１０を取り付けた状態における最下端を基準に前後方向に３０度ずつ、全体で６０度分だけ開口している。この開口部２２ｃ内に、カメラ部１２を回転自在に装着する。
【００９０】
図１１，図１２等に示すように、カメラ部１２は、カメラケース４０と、そのカメラケース４０内に実装されるカメラユニット８７を備えている。カメラケース４０は、上下に除下に二分割された第一レンズホルダー４１と第二レンズホルダー４２を、その上端縁と下端縁を付き合わせて連結して一体化する。第一レンズホルダー４１は、上端が開口する略矩形状の箱体からなり、その上端縁の四角形の４つの各辺の中央部位に、凹状切欠き部４１ａを有し、その四角形の四隅にねじ穴４１ｂを備える。ねじ穴４１ｂの上端部分は、第一レンズホルダー４１の上端縁よりも少し上方に突出している。
【００９１】
第二レンズホルダー４２は、第一レンズホルダー４１の上端縁の外形寸法と同一の寸法形状を有する矩形の枠体４２ａと、その枠体４２ａの上端に連続して形成される湾曲部４２ｂを備える。湾曲部４２ｂの横幅は、枠体４２ａの横幅よりも広くし、湾曲部４２ｂの軸方向に沿った両側縁は、枠体４２ａの側面よりも外側に突出した形状となる。枠体４２ａと第一レンズホルダー４１の端面同士を接合した状態では、第一レンズホルダー４１に形成した凹状切欠き部４１ａの上方開放側が枠体４２ａの下端園で閉じられ、水平方向に延びる細長な開口部が形成される。枠体４２ａの内定面の四隅には、貫通孔４２ｃが形成される。枠体４２ａと第一レンズホルダー４１の端面同士を接合した状態では、その貫通孔４２ｃと、第一レンズホルダー４１に形成したねじ穴４１ｂとが対向し、枠体４２ａ側から貫通孔４２ｃ内に止めねじ８５を挿入し、ネジ止めして第一レンズホルダー４１と第二レンズホルダー４２を一体化してカメラケース４０を構成する。
【００９２】
係る構造のカメラケース４０は、第二ケース２２の開口部２２ｃの内側から第一レンズホルダー４１を外に突出するように挿入する。すると、第一レンズホルダー４１並びに枠体４２ａは開口部２２ｃから外側に突出するが、湾曲部４２ｂの横幅を開口部２２ｃの軸方向の横幅よりも広く設定しているため、湾曲部４２ｂが第二ケース２２の無い周面に接触し、それ以上外に離脱しない。
【００９３】
そして図１０等に示すように、第二ケース２２の内側にインナーケース３８を配置し、カメラ部１２のカメラケース４０の湾曲部４２ｂを、第二ケース２２とインナーケース３８で挟み込み、カメラ部１２の離脱並びに本体部１１内への入り込みを抑止する。そして、湾曲部４２ｂの外周面並びに内周面の曲率半径は、対向する第二ケース２２の内周面並びにインナーケース３８の外周面とほぼ等しくし、その湾曲面に沿って回転が可能となる。
【００９４】
湾曲部４２ｂと、インナーケース３８との接触面には、回転を許容しつつ所望角度で回転を停止して姿勢を維持するように三角波状の凹凸の歯部を設けている。そしてその接触面に設けた歯部を噛み合わせた状態で回転方向の位置決がされ、その歯部が噛み合った状態でも回転方向に一定以上の付勢力が加わると、三角波形状であるので噛み合いが解除して回転するように構成している。そして本実施形態では、係る歯部は、軸方向の両サイドと、中央側の二箇所にした。
【００９５】
すなわち、図１１，図１２等に示すように、湾曲部４２ｂの内面の軸方向両サイドの中央部位に、カメラ側第一歯部８６ａを設ける。また湾曲部４２ｂの内面の軸方向中央部位には、周方向の両先端付近までカメラ側第二歯部８６ｂを設ける。このカメラ側第一歯部８６ａ、山が大きく、山の配列ピッチは例えば５度ピッチにしている。さらに湾曲部４２ｂの周方向の両端には、カメラ側第二歯部８６ｂの先に係止凸部８６ｃを設ける。係止凸部８６ｃは、カメラ側第二歯部８６ｂよりも大きい突出部としている。
【００９６】
一方、インナーケース３８は、上方開放した半円筒状であり、軸方向の長さは湾曲部４２ｂの横幅・軸方向の長さよりも長くしている。そして、インナーケース３８の軸方向中央部位は、表面側が削れた肉薄部３８ａとなる。肉薄部３８ａの軸方向の長さは、湾曲部４２ｂの横幅とほぼ等しいか若干長くしている。さらに肉薄部３８ａの表面は、インナーケース３８の軸方向両端側の表面よりも湾曲部４２ｂの肉厚分だけ奥に下がった位置に設定されている。これにより、湾曲部４２ｂをインナーケース３８の肉薄部３８ａ内に装着した状態では、湾曲面に沿って周方向に回転可能となる。
【００９７】
さらに肉薄部３８ａの中央部分には大きく開く開口部３８ｅが形成される。開口部３８ｅの軸方向の両側縁と、肉薄部３８ａの軸方向両側縁との間には、幅狭の領域が形成されており、その領域にカメラ側第一歯部８６ａに符合する本体側第一歯部３８ｃを備える。カメラ側第一歯部８６ａと、本体側第一歯部３８ｃの部分は、ともに山は浅く、山の配列ピッチをカメラ側第二歯部８６ｂの半分とし、例えば２．５度ピッチにしている。浅くしているから、コトコトことと乗り越えながら回転方向に動く。
【００９８】
また、肉薄部３８ａの軸方向中央部位には、両先端から周方向内側に向けて切り込み部３８ｇが所定間隔をおいて２本形成されている。同様に、開口部３８ｅの周縁から周方向先端側に向けて切り込み部３８ｇが所定間隔をおいて２本形成している。これら同じ側に設けた２本の切り込み部３８ｇで挟まれた部位が板バネとなり、その板バネの先端に本体側第二歯部３８ｄを設ける。本体側第二歯部３８ｄは、インナーケース３８の上端縁と、開口部３８ｅ近傍の二箇所にそれぞれ軸方向に延びる１本の突条となり、その突条の高さは、カメラ側第二歯部８６ｂと等しくしている。またその一対の突条の山は、所定距離離れている。そして、図１１（ｂ），（ｃ）に示すように、インナーケース３８に対してカメラ部１２を前後方向に３０度回転させた状態では、湾曲部４２ｂに設けた係止凸部８６ｃが、インナーケース３８に設けたカメラ側第二歯部８６ｂ間に位置する。
【００９９】
インナーケース３８の内周面の四隅の所定位置には、上方に延びるボス３８ｆを設ける。この所定位置は、インナーケース３８を第二ケース２２に実装した際に、第二ケース２２の円筒状部２２ｉに対向する位置である。ボス３８ｆは、上下が開口する貫通孔を有し、その貫通孔の内径は、上端付近の内径は第二ケース２２に設けた円筒状部２２ｉの外径に対し若干小さくし、下方に行くに従い徐々に大きくなる形状としている。これにより、インナーケース３８を第二ケース２２に実装した状態では、ボス３８ｆの貫通孔内に円筒状部２２ｉが入り込むようになり、その円筒状部２２ｉでボス３８ｆが支持された状態となる。そして、ボス３８ｆの貫通孔の上端は円筒状部２１ｅの外径よりも小さいため、ボス３８ｆの上端位置は、第二ケース２２の円筒状部２２ｉの上端位置よりも一段低い位置となり、下方すなわち第二ケース２２の外側に少しずらした状態となる。
【０１００】
カメラケース４０ひいては湾曲部４２ｂと、インナーケース３８の中心軸をずらしている。湾曲部４２ｂのカーブと、インナーケース３８のカーブを変え、インナーケース３８側を小さくしている。これにより、例えば製造公差などでインナーケース３８側が設計値よりも大きくなっても、湾曲部４２ｂより大きくならないようにし、確実に湾曲部４２ｂがインナーケース３８の肉薄部３８ａ内に嵌まる。そして、インナーケース３８側を小さく設定してるため、そのまま中心軸が一致するようにするとガタ付きを生じるため、中心軸をずらしてインナーケース３８が外側に位置するようにしている。この中心軸をずらすのを、上述したボス３８ｆの貫通孔をテーパー面にして実装時に少し下方に位置させることを利用した。
【０１０１】
このようにすることで、第二ケース２２でカメラケース４０の湾曲部４２ｂをインナーケース３８に押しつけるようになり、歯部同士の噛み合いをしっかりさせると共に、インナーケース３８の板ばねの弾性復元力と、広いピッチ（例えば５度ピッチ）に大きい山の噛み合いによりしっかりと固定する。
【０１０２】
上述したように、エリアセンサの向きを調整するための本体部１１とブラケット１３，リング部１６との間の回転角度の調整並びに調整後の角度の保持機構は、ナット部材２６を緩めて本体部１１とリング部１６の側面同士で接触する歯部の噛み合いを解錠することで調整し、調整後はナット部材２６を締め付けることで、しっかりと固定できるようにした。ナット部材をしっかり締めることで、例えば本体部１１やカメラ部１２に誤って触れたとしても、本体部１１の回転角度ひいてはエリアセンサの向きが変わることがない。
【０１０３】
一方、本体部１１とカメラ部１２は、互いの周面同士で接触する凹凸・歯部が噛み合ってカメラ部１２の向きを保持しているが、その噛み合った状態まま回転も可能とする必要から、凹凸・歯部の山が小さくなったり、板バネ等を用いた弾性変形力を利用したりして固定するので、エリアセンサの向きの固定力に比べると緩やかな固定となる。
【０１０４】
このように、エリアセンサを回転させる手段は、カメラ部を回転させる手段よりもしっかり固定できるように構成したので、センサの向きはしっかり固定することができ、所望の向き、例えば地面と水平を維持できるのでよく、カメラの向きはエリアセンサの固定よりはゆるい固定であり、車室内で設置した状態でも回転させて撮影範囲の調整がしやすくなるので良い。特にカメラの向きは、例えば、走行中は前方を向かせてドライブレコーダーとして使用し、駐車時は下向きにして車両の全周囲を撮影可能としてセキュリティとして使用する場合、エリアセンサは一度向きを設定するとそのままで良いが、カメラの向きは頻繁に変えるので、緩やかな固定の方が好ましい。調整の頻度が少ない方がしっかり固定できるように構成すると良い。
【０１０５】
［本体ケース等は、映りにくい構成］
カメラケース４０内に実装するカメラユニット８７は、本形態では第一レンズホルダー４１内に実装する。カメラユニット８７の上側の回路基板８７ａは、その四隅が凹状に切り欠かれている。カメラユニット８７を実装した状態では、その切り欠かれた部分が、ねじ穴４１ｂの外周面に近接した状態にセットされる。上側の回路基板４７ａの各辺の下面には、撮影用ランプ４４や、録画ランプ４５が配置される。録画ランプ４５は、ドライブレコーダー１０を車両に設置した状態での前後の両辺の中央にそれぞれ１個ずつ配置し、撮影用ランプ４４は各辺に２個ずつ配置する。それらランプは、凹状切欠き部４１ａにより形成される開口部に対向する位置に配置され、外部から視認可能となる。また第一レンズホルダー４１の底面４１ｃの外側中央には、環状の突条４１ｄが設けられ、その突条４１ｄの下端にカメラユニット８７が備えるレンズ４３が突出するように配置される。本実施形態では、カメラの撮影範囲は、半天球以上の範囲であり、レンズ４３をカメラケース４０の底面側で配置したので、垂直平面内で１８０度以上となり、レンズ４３の斜め後ろ側の上方側も撮影範囲となる。
【０１０６】
そして本実施形態では、カメラ部１２で撮影した映像の範囲内に、カメラケース４０と本体部１１・ブラケット１３が写り込みにくくなるように、カメラケース４０上でのレンズ４３の位置並びに向きと、本体部１１等との関係性が設定されている。本体部１１やカメラケース４０が、カメラで撮影する映像に映り込みにくくなるので、車外の景色や、車室内の様子を見やすく採ることができる。映り込みにくくなる関係性は、例えば、カメラケースの回転に伴うカメラの撮影範囲内に、本体部１１等が写らないか、影響が少ない範囲で写るような関係に設定すると良い。カメラの撮影範囲に存在する部分をできるだけ少なくする形状にすると良く、例えば、本体ケース・カメラケースの寸法形状をできるだけ小さくしたり、カメラの死角は円錐形になるので、カメラケースをその円錐形に近い形状や内接する矩形状等にしたりするとよい。本実施形態では、本体部１１は横長な円筒形であるので、例えば本体部１１の軸方向両側の側面等も映り込まないか、映り込みにくいようにしている。カメラケース４０は、第一レンズホルダー４１の底面４１ｃの下側にリング状の突条４１ｄを突出させ、レンズ４３はその突条４１ｄの下方に突出・露出するようにしたので、レンズ４３の斜め後ろに撮影範囲内に、第一レンズホルダー４１の矩形状のケース部分が映り込まない設定としている。
【０１０７】
また、上述したようにカメラケース４０内にはカメラユニット８７が実装される。この実装するカメラユニット８７の構成要素は、上記のようにカメラの撮影範囲内に、カメラケース４０が写らないか、影響が少ない範囲で写るような関係に設定した空間内に実装可能な部品の量を決定し、それをカメラユニットとして実装した。
【０１０８】
［ランプ］
上述したように、カメラ部１２は、カメラケース４０の矩形状のケース部分の４面に撮影用ランプ４４を配置し、車両に取り付けた状態での前後面に録画ランプ４５を備えた。撮影用ランプ４４は、白色ＬＥＤである。例えば、駐車中に撮影する際に周囲が暗い場合、ドライブレコーダーの制御部は、４面の全ての撮影用ランプ４４を点灯する。これにより、夜間等で撮影に十分に明るさがない状況でも確実に接近等してくる人などの物体を撮影し、記録できる。周囲の明るさは、例えば本体部１１に実装した照度センサの出力に基づき判定する。
【０１０９】
４面の全ての撮影用ランプ４４を点灯するのではなく、一部の方向を発光させ、その部分を撮影するようにしても良い。例えば、撮影用ランプ４４は、走行中は少なくとも前面等の車両の外に向かって発光するものは点灯しないようにすると良い。また、走行中であっても、例えば進行方向後面側のランプは点灯し、車室内の状況を綺麗に撮影できる良いにすると良い。
【０１１０】
また、例えば、駐車している車両の片側、例えば助手席側の外に壁等が近接していて、その助手席側からの侵入や、衝突のおそれが内場合には、設定によりそれ以外の方向のみを点灯させ、電力消費を抑えるようにしても良い。
【０１１１】
さらに、周囲の物体の検知等に伴う撮影時以外に、適宜のタイミングで発光させるといよ。このようにすると、周囲に対する威嚇・接近警告や、監視動作中であることをアピールし、いたずら等に対する抑止効果を発揮するので良い。
【０１１２】
録画ランプ４５は、インジケータ用として動作し、本実施形態では、赤色と緑色の二色を発光するＬＥＤ等を用いる。例えば走行時の通常の常時録画中は赤色が点灯し、録画停止中は緑色が点灯し、各種のイベント録画中は赤色が点滅するように制御部が制御する。また、走行中は、車両の前側の録画ランプ４５は消灯するようにすると良い。
【０１１３】
［本体部１１の筐体２０内に実装する構成］
図９（ｂ），図１３，図１４等に示すように、筐体２０内には上述したドライブレコーダー機能やセキュリティ機能を実現するための各種の処理回路や電源回路等を実装する。図９（ｂ）等に示すように、第一回路基板４６と第二回路基板４７は、それぞれ立てた状態で筐体２０内に実装する。第一回路基板４６と第二回路基板４７は、それぞれ対向する面に設けたコネクタ同士を接続し、電源並びに信号の送受を行う。第一回路基板４６の上方に、ＧＰＳ・ＷｉＦｉ基板５３を水平状態で配置する。これら各基板は、プリント基板ホルダ５７により支持されて筐体２０内に実装される。第一回路基板４６は、電源コネクタ３４が実装され、電源コネクタ３４の端子ピン３４ａはＬ字型に曲げられて、その先端が第一回路基板４６に形成されたプリント配線に直接接続される。また、第一回路基板４６には、２つのスイッチ素子６０が取り付けられる。このスイッチ素子６０は、記録ボタン３２と録画ボタン３３により操作される。第二回路基板４７には、ＣＰＵ、メモリカード３６を装着するカードスロットその他の部品やセンサが実装され、その前面側は、シールドケース５８に覆われている。ＧＰＳ・ＷｉＦｉ基板５３の上面には、ＧＰＳアンテナ５４，ＷｉＦｉアンテナ５６，電池５５等が実装される。ＧＰＳ・ＷｉＦｉ基板５３の下面側には、ＧＰＳモジュールやＷｉＦｉモジュールなどが実装され、第二回路基板４７に実装したＣＰＵとデータの送受を行う。また、筐体２０内には、マイク６１やスピーカー６２や、加速度センサその他各種のセンサ等を実装する。
【０１１４】
［エリアセンサ］
第一ケース２１，第二ケース２２の一方端部２１ａ，２２ａ側にエリアセンサ４８を配置する。エリアセンサ４８は、特定方向に電波を出力し、その出力した電波の反射波に基づき前記物体の移動を検知するセンサモジュール５０と、そのセンサモジュール５０から出力される電波を、所定の平面方向の周囲に向けて放射するアンテナ５１を備える。電波は、本実施形態では準ミリ波を含むマイクロ波を用いるが、ミリ波などの周波数帯を用いても良い。波長によりアンテナの寸法も変わるが、このエリアセンサ４８を実装するドライブレコーダー１０の本体部１１の外寸法は、軸方向の長さが８８ｍｍ、直径が５０ｍｍ程度であるので、マイクロ波を用いると良い。また、使用するマイクロ波は、例えば２４ＧＨｚとした。
【０１１５】
センサモジュール５０は、縦に配置される所定形状の第一モジュールケース５０ａと第二モジュールケース５０ｂとで、回路基板５０ｃを挟み込んだ状態で、第一モジュールケース５０ａと第二モジュールケース５０ｂをネジ止めして一体化する。第一モジュールケース５０ａと第二モジュールケース５０ｂは、共に金属からなる筐体である。図示省略するが、第一モジュールケース５０ａと第二モジュールケース５０ｂは、当該一体化した際に、回路基板５０ｃのグランド配線パターンに接触する。これにより、第一モジュールケース５０ａと第二モジュールケース５０ｂの表面も接地される。
【０１１６】
回路基板５０ｃの外部に露出した部位から、端子ピン５０ｄが起立形成されている。このセンサモジュール５０は、第一回路基板４６に取り付けており、端子ピン５０ｄが第一回路基板４６の回路パターンに接続され導通する。センサモジュール５０は、この端子ピン５０ｄを経由して第一回路基板４６側から電力供給を受けて電波を出力し、反射波に基づく検知出力を第一回路基板４６側に送る。センサモジュール５０は、導波管を構成し、電波の出力側に縦長の出射口５０ｅを有し、この出射口５０ｅの給電点から図中矢印方向の特定方向・給電方向に向けて電波を出力する。この出射口５０ｅは、長手方向が回路基板５０ｃと平行となる。この回路基板５０ｃと平行な長手方向と平行な面が磁界面（Ｅ−平面）で、短手方向が電界面（Ｈ−平面）となる。さらにセンサモジュール５０は、出力側に特定方向と直交する方向に延びるフランジ部５０ｆを備える。このフランジ部５０ｆは、規格で決まった寸法形状であり、全体で矩形状の外形を有し、各辺の中央付近に凹状切欠き部５０ｇを設ける。
【０１１７】
この出射口５０ｅの電波の出力方向の前方にアンテナ５１を装着する。アンテナ５１は、反射と偏波変換を利用したリフレクトアンテナであり、反射・回り込み等の電波の性質を使い、センサモジュール５０からの電波の出力方向は特定方向の一つにしつつ周囲に向かって電波を放射するように設定している。周囲は、エリアセンサ４８を中心に、その周囲に対して平面の方向に広がりがあり、その平面の方向と直交する方向には広がりが小さい放射領域を有する。センサモジュールからの出力方向は特定方向に一つですむので、エリアセンサ４８は、小型でコンパクトとなる。
【０１１８】
センサモジュール５０は、出射した電波の直接波に対する反射波の変動をドップラー効果を利用して物体を検知する機能と、出射した電場の直接波と、それに対する反射波で形成される合成波に基づき、電圧定在波比が変動することも利用して動体を検知する機能を有する。センサモジュール５０は、それら機能を複合して物体を検出する。
【０１１９】
従来から一般にこの種のセキュリティ監視に使用する物体検知は、マイクロ波ドップラーセンサが良く用いられている。ドップラーを利用して検知する受信回路とすると、例えば大きい車両の場合、反射波が小さくなり検知できないおそれがあるが、定在波比を利用することで、車両の大小に関係なく検知できるのでよい。
【０１２０】
［アンテナ］
アンテナ５１は、センサモジュール５０のＧＮＤ（金属筐体または回路基板ＧＮＤ）と、高周波的にショート（接地）するように接続する。アンテナ５１は、以下に説明する所定形状の金属ダイカストや誘電体に金属メッキまたは金属蒸着することで形成される。誘電体の表面に金属膜を成膜する構造とするのが複雑な形状でも簡単かつ精度良く安価に形成できるので良い。
【０１２１】
アンテナ５１は、略矩形状で前後が開口する矩形状の枠体６５を備える。この枠体６５の内周面の寸法形状は、フランジ部５０ｆの外周面の寸法形状とほぼ等しくしている。また、枠体６５の一方の開口部側に、各辺の中央部位に内側に向けて突出する突片７３を一体に形成する。突片７３は、上下方向に配置する一組は幅広で、残りの一組は幅狭にしている。各突片７３の寸法形状は、センサモジュール５０のフランジ部５０ｆの各辺の中央部位にそれぞれ設けた凹状切欠き部５０ｇと等しくしている。
【０１２２】
そして、この枠体６５に対し、突片７３を形成していない開口部側からフランジ部５０ｆを挿入し、枠体６５の最深部まで位置させる。すると、突片７３と凹状切欠き部５０ｇが嵌まり合って、アンテナ５１とセンサモジュール５０が所定の位置関係で固定される。特に、小型で軽量であるので、係る嵌め合いによる固定でネジ止めしなくても位置ズレすることがない。このようにネジ止めが不要な構造であるので、取り付け取り外しの工数が削減できるのでよい。また、アンテナ５１は、その全体が金属ダイカスト或いは全面が金属膜で成膜されており、枠体６５の内周面とフランジ部５０ｆが接触することで、固定とともに金属筐体と電磁的に接続されるのでよい。
【０１２３】
枠体６５の上下面の突片７３を設けた側には、その前方に突出するように遮断用プレート６６を配置する。遮断用プレート６６は、給電ポイントＰでの電界に対して垂直となる方向の電磁波放射を抑制し、その抑制された電波は前方へ集中させる。この遮断用プレート６６を配置することで、電波の放射領域を上下から押しつぶして水平方向に広がる。遮断用プレート６６の横幅ｔ３、すなわち、電波の出力方向と直交する方向の長さが短いと放射される電波の利得が下がるので、適宜の長さを設定する。本実施形態では、係る横幅ｔ３の長さは、約４／５λの約１５．５ｍｍとした。
【０１２４】
上下に配置した一対の遮断用プレート６６を跨ぐように遮蔽板６７を配置する、この遮蔽板６７は、センサモジュール５０から出力される電波を遮る位置に配置され、出力方向へ進む電波を遮断し、適宜の方向に反射する。遮断用プレート６６の先端は、遮蔽板６７よりも前方に突出するようにし、その先端部分の長さｔ２は、約２ｍｍとした（図１７（ａ）等参照）。
【０１２５】
この遮蔽板６７の裏面、すなわち、出射口５５ｅに対向する面には、センサモジュール５０から出力される電波の一部を反射してその進行方向を、特定方向と直交し相反する電界面の２方向に振り分ける反射体６８を設ける。上下の遮蔽板６７で反射体６８を挟む構造となる。反射体６８は、円錐型であり、その円錐型の頂点が、給電ポイントＰから所定の距離ｔ１を離した位置になるように配置する。所定の距離ｔ１は、例えば１／１６λから１／８λの範囲とすると良く、本実施形態では、１．１５ｍｍとした（図１７（ａ）等参照）。
【０１２６】
電界面の２方向の先には、開口部７０を設ける。反射体６８の頂点からそれぞれの開口部７０までの距離は、約３／４λ程度とし１０．４ｍｍとした。この開口部７０は、ドライブレコーダー１０を正しい姿勢である水平ライン３０が水平になるように車両１に取り付けた状態で、車両１の前方と後方を向く。反射体６８で反射され、電界面の２方向に向けて進む電波は、その開口部７０からそれぞれアンテナ５１の外部に向けてメインローブ放射する。そして、上述したように遮断用プレート６６により上下方向への進路が遮断され押さえ込まれた電波の電界成分は、反射体６８で２方向に振り分けられ、一対の開口部７０からメインローブ放射される電波に加わり、より遠くまで電波が届くようになる。反射体６８と、開口部７０との距離で反射損（ＶＳＷＲ：Voltage Standing Wave Ratio（電圧定在波比））を調整する。
【０１２７】
円錐型の反射体６８は、その側面が複数段に傾きを変えている。本形態では、頂点付近の急角度の部分と、裾の部分の緩やかな部分の２段階に分けている。このように２段階とすることで、第一フィン７１，第二フィン７２との協働もふまえ、一方の開口部７０から放射する電波を１８０度近くの広範囲に広げることができる。シミュレーションをした結果、傾きが１つの単純な円錐形の場合、当該角度やフィンの長さを調整しても１８０度近くまでの広い範囲に放射することはできなかった。二段階にすることで、反射角度が異なり、広い範囲に反射するためと思われる。このように円錐の側面が２段階となっている傾き形状を変更することで、電界面の２方向に進む電波の放射角度を制御でき、当該２方向からのメインローブ放射の高い利得方向を所望の状態に設定できる。
【０１２８】
反射体６８には、円錐の頂点を含む上下方向のライン上の所定区間に、スリット６９を設ける。このスリット６９は、反射体６８の頂点部分には設けず、当該頂点から上下方向に所定距離だけ離れた位置から、それぞれ上下方向に延びるように配置する。スリット６９の向きは磁界面と一致しており、センサモジュール５０から出力する電波の一部、主に磁界がスリット６９を通過する。そして本実施形態では、反射体６８を円錐型にしたので、磁界が進行方向の前に倒れるようになり、スリット６９で共振しやすくなり前方へ放出されやすくなるのでよい。
【０１２９】
スリット６９の通過後の磁界が進むにつれて、電界も生じて一定距離離れた遠方界に至ると通常の電磁波として特定方向と同一方向に電波が放射する。この特定方向と同一方向に向かう電波は、ドライブレコーダー１０の水平ライン３０を設けた一方端部２１ａ，２２ａの端面から外に向かって放射される。検知領域内で物体に当たると反射波が戻ってくる。
【０１３０】
また、スリット６９の幅が広くなるほど、そこを通過する電界成分が増え、それに伴い反射体６８で振り分けられる電界成分が相対的に減る。車両の前後方向に向けて放射する電波並びにエリアセンサ４８を設けない反対側の側面に向けて放射する電波は、反射体６８で振り分けられる電界成分に基づくものである。よって振り分けられる電界成分に基づく放射の電波の届く範囲とのバランスで、スリット幅を設定する。
【０１３１】
さらに本実施形態では、反射体６８の頂点部分はスリット６９がなく、途中から上下方向に延びるスリット６９を設けたことを特徴としている。仮に頂点までスリットを設けると、その円錐の頂点部分のスリットで反射して２方向に振り分ける電界が均等にでず、両開口部７０から放射する電波のバランスが悪くなる。これに対し、本実施形態のように頂点部分は円錐の頂点があることでそこにぶつかった電界がバランス良く両側に反射して振り分けられるのでよい。さらに、頂点までスリットを設けるの形状にすると、製造が難しいが、頂点を設けることで製造が容易になる点でも良い。
【０１３２】
さらに、円錐の頂点にスリットを設けず、円錐の側面の中腹からスリット６９があるので、磁界成分が前に進みやすくなり、遠くまで電波を飛ばせるようになるので好ましい。これは、シミュレーションの結果、上のスリット６９と下のスリット６９で進む磁界成分の位相が逆になっていることが確認でき、頂点を含め上下に全てスリットを設けると、逆相にはならないことが確認できた。２方向に振り分けられる電界成分が、逆相（両電界の向きは、図１８中、黒矢印方向）になることと同様の現象が生じており、この逆相が影響して電波の伝達距離が伸びるものと推定する。また、頂点付近のスリット６９を設けない部分の寸法は、例えば図１７（ｅ）に示すように、一方のスリット６９の頂点側の一端から頂点を通り、他方のスリット６９の頂点側の一端に至る円錐の側面に沿った距離ｔ６が、例えば約１／２λにするとよい。頂点から、各スリット６９の一端までのそれぞれの距離は、約１／４λとなる。
【０１３３】
さらに電界面の２方向の先に設けた開口部７０の周縁から特定方向と平行な方向に延びる金属製の第一フィン７１と、開口部７０の周縁から逆方向に延びる金属製の第二フィン７２を備える。本実施形態では、第二フィン７２は枠体６５と兼用する。兼用するのは、枠体６５の開口部７０に繋がる壁面である。
【０１３４】
第一フィン７１と第二フィン７２は、開口部７０より放射される電界を４５度の方向に回し込む機能を発揮する。係るフィンが無いと電界の広がりが小さくなり、開口部７０から広い範囲に電波を放射できず、開口部７０の部分からそのまま放射され広がるだけで指向性が出てくる。これに対し、第一フィン７１と第二フィン７２を設けた場合、各フィンの先端まで電波が回り込みそこから放射が始まるため、広い範囲に放射できる。第一フィン７１と第二フィン７２の長さは、特定方向と直交する２方向に向けて放射する電波の広角範囲が基準角度以上になるように設定する。フィンの長さを長くすると、広角範囲が広がり、開口部７０から広い範囲に向けて放射が行われるが、あまり広げすぎるとメインローブ放射の到達距離が短くなり、適切な範囲でエリア検知をしにくくなる。また、長さが適切でないと、利得も落ちる。例えば係る長さは、１／２λ〜１／４λなどとすると良い。さらに第二フィン７２には、そこを伝搬し逆方向への放射・後方放射を行う機能を備えるように長さを設定する。係る長さは、第二フィン７２の部分で共振させて後方に伝搬させる。上記の範囲をベースとしてさらに共振も考慮して適宜設定する。本実施形態では、第一フィン７１の長さｔ５は約３／８λの約５ｍｍにし、第二フィン７２の長さｔ４は約３／４λの約９ｍｍとした。本実施形態では、エリアセンサ４８は、本体部１１の一方端部側に偏心させているため、第一フィン７１の長さを短くし、第二フィン７２の長さを長くすることで、第二フィン７２側の放射角度を大きくしドライブレコーダー１０を基準に前方・後方が広い範囲で放射できるようにした。
【０１３５】
また、スリット６９を通過後の磁界とは逆に、開口部７０から放射される電波は、近傍界では電界が優位であるが、ある程度進み遠方界になると電界・磁界が均等になり、検知領域内で物体に当たると反射波が戻ってくる。
【０１３６】
このようにすることで、メインローブ程ではないが、一定の利得をそれぞれ４５度以上の放射エリアを確保でき、入力に対して直交した２方向に高い利得を確保でき、且つ広角に一定範囲の利得を確保可能となる。さらに、２段階円錐形状の反射体６８における傾斜角度を適宜に設定することで開口部７０から放射される２方向の電波に対し、高い利得方向を得ることができる。
【０１３７】
上述したとおり、センサモジュール５０から出力される電波は、特定方向と同一方向には、スリット６９を通過して放射し、特定方向と直交する２方向と、逆方向には、反射体と第一フィン７１・第二フィン７２により放射するので、平面の周囲に向けて放射することができる（図１８中、白抜き矢印参照）。簡単な構造のアンテナを用いて、アンテナ５１から放射する電波は、水平方向の３６０度の周囲に向けて放射され、エリアセンサ４８の周囲に平面の方向に広がりがある検知領域を形成できる。
【０１３８】
本実施形態のアンテナ５１は、誘電体の一例であるプラスチックを射出形成し、上述した所定形状の本体を形成し、その本体の表面にメッキ処理して所定の金属膜を成膜して形成する。特に、本形態のアンテナは、数センチ角の小さい形状で複雑な形状なため板金等では製造できない。プラスチックの射出形成をすることで、簡単に製造できる。しかも、表面に金属メッキするだけでよく、金属ダイカスト品と同等の性能のものが、軽くて比較的安価にできるので良い。しかも性能がバラツキにくいため良い。また、特にプラスチック等の樹脂は、金属ダイカスト品に比べて弾性力があり、上述したようにネジ止めすることなくセンサモジュール５０のフランジ部５０ｆを嵌め込むだけで密着して固定することができる。そして、軽量であることも相まってネジ止めしていなくてもアンテナ５１がセンサモジュール５０から外れることがないので良い。
【０１３９】
金属膜は、例えばニッケルメッキ、ニッケルクロムメッキを用いて成膜すると良い。そして、金属膜の膜厚は、通常に計算して求める設計値よりも厚くすると良い。例えば、通常の膜厚は３〜４μｍのところ例えば１．５倍程度で５〜６μｍ程度とすると良い。また、プラスチックの厚さは１ｍｍ程度とした。メッキ処理は、プラスチックの表面をざらざらにして金属を成膜する。膜厚が薄いと、プラスチックの表面のざらざらな凹凸の状態の影響が出ているものと思われる。そのため表面に流れる放射電流が安定せず、膜の内部も流れるためと思われる。これに対し、本実施形態では、膜厚を厚くしたため、プラスチック表面のざらざらが埋められ、金属膜の表面が均一になり、放射電流がほぼ表面付近を流れるため、所望の特性を発揮できる。膜厚は１．５倍程度としたが、例えば、表面のざらざらが埋められた状態で、そこから目的の厚さを成膜すると良い。メッキ処理に変えて蒸着しても良いが、メッキ処理が簡単に製造できるので良い。
【０１４０】
［エリアセンサの駆動制御］
上述したように、エリアセンサ４８は、駐車時においてイベントのみ録画モードで動作中に、起動し接近監視等を行う。このとき、連続してエリアセンサ４８を動作させ、常時監視を行うようにしても良いが、バッテリー容量の関係から間欠動作させるようにしている。
【０１４１】
本実施形態では、例えば１秒周期で間欠動作させ、５００ｍｓ動作で５００ｍｓ停止を繰り返し行う。従来の各種のセンサ等を間欠動作する場合、もっと短いサイクルで切り替えていたが、エリアセンサ４８は起動後一定期間不安定な状態なり、物体検知に利用できない区間を有する。そこで、短いサイクルで切り替えると、動作中において実際に検知できる実働時間が短くなり適切な接近検知ができなくなる。そこで、少なくとも不安定期間と同程度の動作期間を持たせて周期的に間欠動作させるようにした。エリアセンサ４  ８は、立ち上げから２５０ｍｓは乱れるので、同じ２５０ｍｓの実動作期間を持たせ、合計で、上述したように５００ｍｓ動作で５００ｍ停止とした。
【０１４２】
接近監視の対象を例えば人にした場合、人の動き以外を拾わないように周波数の高い領域はカットするようにする。カット周波数は、数１０Ｈｚとする。例えば、のぞき込みの動作は、５ｋＨｚ程度の低い周波数程度であり、人の移動も走り寄ってきた場合でも数１０ｋＨｚ以下に収まる。そこで、上記のよう高い周波数領域を不感帯にすることで、人以外の誤検出に伴うカメラの撮影が開始することでのバッテリーの消費を抑制するようにした。なお、例えば、隣に駐車した車両のドアが開き、衝突するような場合、係るドアの開きに伴う動きが数１０Ｈｚ以下となると検知できる。
【０１４３】
［ドライブレコーダーにおける放射特性パターン］
上述したように、エリアセンサ４８は、所定の平面内・電界面の方向にエリアセンサ４８を基準に全周囲に向けて電波を放射する。このように全周囲に向けて放射された電波は、筐体２０内を通過してドライブレコーダー１０の外に放射される。エリアセンサ４８から放射された電波は、一部はそのまま筐体２０を通過して外部に放射する。例えば、アンテナ５１のスリット６９を通過した磁界成分に基づく電波は、そのまま筐体２０の一方端の側面である凸部２１ｂ，２２ｂから、軸方向外側に向けて放射する。アンテナ５１の一対の開口部７０から広範囲に向けて放射された電波は、その大部分は筐体２０を透過してその放射された方向に向けて進む。
【０１４４】
図１３（ｂ）等に示すように、アンテナ５１の第二フィン７２の一方のそばには、第二回路基板４７に取り付けたシールドケース５８が所定距離を置いて近接している。第二フィン７２から特定方向と逆方向に向けて放射される電波は、共振により電流が最大になっているため、周囲に金属があっても伝搬しやすくなる。すなわち、本来はギャップがあると金属との間で反射を起こし伝達できないが、電流が最大になっているので、シールドケース５８が電磁波の伝送路も構成し伝搬できる仕組みとなり、筐体２０の他方の側面２２ｄの直近まで至る。そして、そのままシールドケース５８の端面から側面２２ｄ側に向けて放射され、その放射された電波は側面２２ｄを透過して外部に放射される。
【０１４５】
なお、シールドケース５８は片側だけ配置され、図１３（ａ）等に示すように、他方の第二フィン７２側にはシールドケースに相当する金属板はない。そのため、当該片側だけ電波が効率よく後方に進む。仮に片側だけでも伝搬・放射でも目的のレベルは出て所望範囲のエリアに電波を届かすことができる。そして、両側に遮蔽板に相当する金属板を配置するとより検知領域が広がるので良い。広がるのは例えば１．８倍くらいである。
【０１４６】
本実施形態では、片側のみに配置したシールドケース５８の影響で、側面２２ｄと直交する方向のピークがズレてしまい真横に来ない。また、使用時は電源コネクタ３４に電源ケーブルを連結するが、側面２２ｄから外部に放射される電波が電源ケーブルに引き寄せられ、放射パターンに影響を与えるおそれがある。この場合、電源ケーブルは、金属板・シールドケース５８より中央側に配置すると、電波の放射方向を中央に戻す方向の力が働くので良い。本実施形態では、電源コネクタ３４を側面２２ｄの中央付近に配置したため、それに接続される電源ケーブルも中央付近に引き回されるので良い。
【０１４７】
また、カメラ部１２，カメラユニット８７は、本体部１１の下方で、エリアセンサ４８からの放射パターンが水平面内であることも相まって、カメラ部１２，カメラユニット８７は離れているので放射パターンに影響しない。
【０１４８】
アンテナ５１の開口部７０に対向するように、その近くに第一ケース２１，第二ケース２２があり、放射面に対して垂直もしくは曲面になっている状態において電波の一部をケースに放射する。すると、図１８中、矢印で示すようにケース表面を表面波として伝搬する高周波電流が側面２２ｄに設けた金属素子７５に流れた際に、エリアセンサ４８から直接放射される電磁波に対して遅れて電磁波を放射させることが可能となる。
【０１４９】
このように筐体２０から放射される電磁波と、金属素子７５から放射される電磁波からも遅らせることを可能にすることを特徴とし、搭載アンテナの放射特性にも影響を与えない配置とするとよい。このようにすると、筐体２０やシールドケース５８等の複雑な形状により放射パターンが乱された場合に、アンテナ形状を大幅に変更せずにケースにて補正をかけることができる。すなわち、搭載したアンテナの特性に影響を与えることなく、例えばアンテナ５１から直接放射される電磁波で電波のレベルが極端に低く或いはゼロになった場合、金属素子７５から遅れて電磁波を放射させる直接放射で届かない検知領域が合った場合に、当該検知領域に金属素子７５からの電波を合わせる。よって、時間軸で補正できる。
【０１５０】
また放射特性で電界に基づく車両の前後方向と、磁界に基づく左右方向等に落ち込むところがあるが、落ち込む方向にはピラーがあるので実用上影響がない。そして、放射特性のパターンは、車両の平面形状に合うようにしている。
【０１５１】
（第２実施形態）
通常のドライブレコーダーは、前方、後方、サイドなどをスポット的に撮影する。最近は、半球レンズを使い、１つのカメラで垂直方向１８０度＋水平方向３６０度の半球の領域を撮影するドライブレコーダーもある。この種の半球の領域を撮影するドライプレコーダーは、ドライブレコーダーを天井に装着し、取り付面を基準に下側の半球部分を撮影する。１８０度は天井から天井までで上が映らない（図２０中、１８０度で示す範囲参照）。すると、図２０（ａ）から明らかなように、天井よりも上方にある信号機８０なとは撮影範囲外になる。
【０１５２】
一方、現在普及している所定方向をスポット的に撮影するドライブレコーダーの場合、正面を見たときに垂直方向の画角が７０〜９０度程度ある。すると、上側半分では４０度前後なので、天井から４０度前後上までの範囲が撮影できれば良い。また、信号機８０を撮影する対象物とした場合、例えば交差点で一時停止中や、交差点を通過中に接触事故が発生した場合に、青信号で走行した等の自己の正当性を証明する場合に有効である。青信号で交差点内に進入したことを証明するためには、例えば交差点の手前の停止線等の位置から進行方向の信号機８０が信号の色とともに撮影する必要がある。すると、信号機８０の高さ、停止線前の道路８１の道幅、ドライブレコーダーの取り付け高さ等を条件に信号機８０を撮影するためには、図２０に示すように３０度〜４０度の斜め上の範囲まで撮影できれば良い。本実施形態では、そこで、レンズの視野角を水平３６０度、垂直２４０度とした。垂直２４０度とすると、ドライブレコーダー１０を車両に取り付けた状態で、レンズを真下に向けた場合、前側が１２０度の範囲が撮影可能となり、上記の天井から３０度の下限に含まれる。
【０１５３】
解像度は、撮影して得られる円形の画像のうち、中央部分が最も良く、周縁部分が最も低くなる。よって、２４０度レンズを用いても、周縁は小さくなって良く映らず、実質的に映像として認識できるのは、２２０度の範囲となる。本実施形態のカメラは、等距離射影を採用しているため、２２０〜２４０の領域は、有効画素に入っていても光学的に引き延ばされてしまい、人が見たときに認識しづらい。また、撮影範囲が１８０度よりも広い範囲であるのでレンズの後ろ側からの光を受光しづらく、係る点に鑑みても１０度位、両側で２０度位は撮影した映像を見ても内容を視認するのが難しい。従って、仮に２２０度レンズを使うと、実際に有効に撮影できる範囲は２００度の範囲となりほぼ半球となる。本実施形態では２４０度レンズを用いることで、２２０度の範囲までは、問題なく撮影できる。
【０１５４】
そして、２２０度の範囲とすると、前方斜め上が３０度の範囲となり、信号機８０を撮影できる。よって、上述した実施形態のように、カメラの向きを変える機構を必ずしも備えなくても良いが、向きを変える機構を備えるとなお良い。そして、カメラの向きを変えることで、信号機８０のレンズ上の撮影位置をより解像度の高い中心側に位置させ、よりはっきりと撮影できるので良い。
【０１５５】
[カメラのレンズを通った光が結像する円形の範囲（以下、「イメージサークル」と称する）と撮影素子の撮影領域の関係設定]
図２１に示すように、レンズで撮影した画像は、円形のイメージサークルとなる。カメラユニット８７が備える撮影素子であるＣ−ＭＯＳのイメージセンサは、長方形の撮影領域となる。通常、１８０度カメラでは、図２１（ａ）に示すイメージサークルの直径と、Ｃ−ＭＯＳセンサの短辺の長さが等しい関係で映像を撮影している。これにより、１８０度全周が撮影できるが、イメージサークルの外側の領域は撮影に使用せず、無駄である。
実際の撮影に利用しない領域は、アスペクト比によっても異なるが半分程度が無駄な部分となる。センサで実際に撮影する有効エリアを広げたいという課題がある。
【０１５６】
そこで本実施形態で、イメージサークルの直径が、Ｃ−ＭＯＳの撮像素子の長方形状の撮影領域における長辺の長さ以下で、短辺の長さより短くした。さらに、車両１の前後方向を撮影した画像が、撮像素子の長辺に沿った方向に結像するように構成した。具体的には、本実施形態では短手方向は１８０度として従来の既存の半球カメラと同じようにし、長手方向は２４０度としてイメージサークルの直径にした。さらにイメージセンサもアスペクト比が３：２の撮像素子を用いると良い。
【０１５７】
イメージセンサの撮影領域よりもレンズで撮影して得られたイメージサークルの方が大きいと重なった範囲内の映像が、実際にＣ−ＭＯＳのイメージセンサに取り込まれる。イメージサークルの中の一部が切り出された態様となる。これにより、Ｃ−ＭＯＳのイメージセンサの撮影に使用しない無駄な領域を小さくし、センサを有効利用する。また、このようにすると、イメージサークルの外側の無駄になるエリアが削減でき、被写体も大きく撮影できるのでよい。
【０１５８】
さらに車両の前後方向を撮影した画像が、Ｃ−ＭＯＳのイメージセンサの長辺に沿った方向に結像するため、車両の前後方向の画像は全てイメージセンサの撮影領域に入り、車両の前方の風景や車室内の状態が撮影できる。またイメージサークルの撮像素子の撮影領域外になる部分は、車両の左右方向の斜め上方向のエリアであるので、さほど問題は無い。すなわち、例えば従来の２つのカメラで前方景色と後方車室内を撮影していたドライブレコーダーとは同程度或いはそれ以上の範囲が撮影でき、また、例えば半天球よりも広い範囲範囲を撮影する場合には、撮像素子の撮影領域外になり受光できない部分は、車両の天井が撮影されてしまい、外の景色が写らない領域であるので、記録できなくても問題は無い。左右方向の一部が撮影できないデメリットよりも、撮像素子を有効利用できて大きく撮影できるメリットの方が大きいのでよい。さらに長手方向が２４０度あれば、前方の景色から車室内も全部映るのでよい。
【０１５９】
Ｃ−ＭＯＳセンサのアスペクト比、１６：９、４：３、３：２等各種のものがあるが、本実施形態では、３：２のセンサを用いた。この３：２のサイズのセンサを用いた場合、Ｃ−ＭＯＳセンサの短手方向を１８０度に割り当てると、長手方向は２７０度まで対応できる。そして２４０度レンズを用いるので、Ｃ−ＭＯＳセンサの長手方向の全長を２４０度に割り当てると、短手方向は１６０度位となり、実際には１４０度くらいが撮影できる。１４０度くらいだと、車外の撮影までは難しいが車室内がとれるので、例えば、２つのカメラで前方景色と後方の車室内を撮影するドライブレコーダーと同じ或いはそれ以上の範囲を1つのカメラで撮影できるメリットあり、Ｃ−ＭＯＳセンサの撮影領域を有効利用できるので良い。このように短手方向が１８０度未満としても良く、上記のケースではほぼ１００％に近い利用率となる。
【０１６０】
但し、１４０度の場合には、ドライブレコーダーを運転席側或いは助手席側に寄せて取り付けた場合には、反対側が見づらくなるので、それを回避するためには中央付近に取り付けるようにすると良い。例えば助手席側に取り付けた場合には、運転席の座面が映るくらいで、少なくともドライバーの顔は映らない。運転席側に取り付けた場合には、その逆である。従って、一方側のみを撮影したい要求にはかえって都合が良いドライブレコーダーとなる。一方のみ撮影したいという要求は、例えば、「一般ユーザは、自分は映りたくないが、それ以外の車室内の状況は撮影したい」、「タクシーなどの防犯上の観点から乗客は撮影したい」「運行管理からドライバーを撮影したい」等がある。
【０１６１】
また、セダン系の背の高い車両の場合、運転席側／助手席側に取付位置をずらしても全体が映りやすくなり、スポーツカータイプの車高の低い車両の場合には、より映りにくくなる。バスなどであれば、１４０度でも問題ない。
【０１６２】
また、Ｃ−ＭＯＳセンサの撮影領域の短手方向に、イメージセンサの横方向の１７０度の範囲を割り当てると、どの位置に取り付けても車内を写すことができるので良い。さらに、上述したように、１８０度であれば天井付近まで映るので全体を撮影できるが、そこまで必要かは微妙である。そこで、車両の左右方向の撮影範囲は、１７０度くらいに下げ、車両の前後方向の角度を広くする方が良い。
【０１６３】
イメージセンサのピクセル数は、Ｃ−ＭＯＳの一番小さいものでＶＧＡだと０．３Ｍピクセル、４Ｋテレビは８Ｍピクセル、１６Ｋは１６Ｍピクセルである。Ｃ−ＭＯＳの同じ寸法サイズの撮像領域に映る映像は、従前の光学レンズを用いて前方のみのスポット的に撮影したドライブレコーダーに比べて、半球レンズさらには２４０度の広い範囲を撮影するレンズで撮影した映像の方が実空間で広い範囲のものが集約されることになる。そのため、解像度の高いＣ−ＭＯＳセンサを使用しないと、再生表示した際に従来と同じ解像度で見ることができない。仮に同じＣ−ＭＯＳを使用した場合、例えば、従来のドライブレコーダーでは見えていたものが、本実施形態のドライブレコーダーでは点になり視認できなくなることがある。そこで、例えば４Ｋさらには８Ｋなどの高解像度のセンサを用いると良い。
【０１６４】
一例を示すと、図２１（ａ）に示すイメージサークルの全体が入るパターンとすると、ＶＧＡを用いた場合のイメージサークルは２Ｍで１０８０であるのに対し、４Ｋを用いた場合のイメージサークルは１９２０ピクセルとなるので面積比は１．７倍程度となる。また、８Ｋを用いた場合のイメージサークルは１２Ｍで２９７６ピクセルとなり面積比は２．７倍程度に増す。そして本実施形態では、６．８Ｍのセンサで４Ｍの解像度に圧縮して記録する。
【０１６５】
［スマートフォンとの連係：設定］
ドライブレコーダー１０は、Bluetooth（登録商標）を用いた近距離無線通信機能を備えており、その通信機能を用いてスマートフォンとペアリングをする。スマートフォンには、予めドライブレコーダーに対応するアプリをダウロードしておき、そのアプリを起動し、スマートフォンの表示部に設定画面を表示する。ユーザは、設定画面を操作し、エリアセンサ４８の検出感度（１０段階）の設定、衝撃の感度設定、傾斜センサのＯＮ／ＯＦＦ、ドア開のＯＮ／ＯＦＦ等の設定を行う。設定のためにドライブレコーダーに電源を入れると電力を消費するため、ドライブレコーダー１０側を駆動せずにセキュリティ動作を行えるようにする。このため、マイクセンサや傾斜センサをセキュリティ監視用に別途設けた傾斜センサ（Ｇセンサ）はエンジンＯＦＦでＯＮし、ドライブレコーダーのＧセンサはエンジンＯＮでＯＮする。
【０１６６】
スマートフォンとの連係を行う具体的な処理・機能は、以下の通りである。例えばスマートフォンに、予めドライブレコーダーに対応するアプリをダウロードする。ペアリングを行うに際し、スマートフォンが備えるBluetooth（登録商標）をＯＮにし、当該アプリを起動する。この起動に伴い、アプリは、ペアリングを行うための接続のための操作ボタンを表示部に表示する。その操作ボタンがタッチされたことを検知すると、アプリは、ペアリングのための信号を送信し、それに対するドライブレコーダー１０からの信号を受信し、ペアリングが確立を図る。アプリは、ペアリングが成功すると所定の結果メッセージ（例えば「ペアリングに成功しました。」）を音声で報知し、例えば図２３（ａ）に示す操作画面を表示部９１に表示する。一定時間経過してもペアリングが確立しない場合、アプリは所定の結果メッセージ（例えば「ペアリングに失敗しました。」）を音声で報知する。これを受けてユーザは、再度、接続のための操作ボタンをタッチし、ペアリングの確立を図る。
【０１６７】
図２３（ａ）に示すように、設定画面は、設定内容表示部９２ａ、録画モード設定ボタン９２ｂ、停止ボタン９２ｃ、エリア感度設定ボタン９２ｄ、バージョン情報確認ボタン９２ｅを備える。さらに設定画面の下方位置には、レコーダ接続ボタンと、スマホ内映像ボタンを備える。
【０１６８】
設定内容表示部９２ａは、表示項目として「動作状態」、「車両バッテリー電圧」、「エリア感度レベル」、「イベント記録履歴件数」の４つを表示する。「動作状態」の欄には、現在の映像記録の状態を示す。図では、設定中の動作トリガの種類を示す「エリアＡＵＴ」と、接近監視モードへ移行中を示す「監視待ち」を表示している。「車両バッテリー電圧」は現在の車両バッテリー電圧（図の例では、「１２．７Ｖ」）を表示するエリアである。このバッテリー電圧は、例えば、ドライブレコーダー１０から送られてくる情報に基づき表示する。「エリア感度レベル」は、現在設定されているエリア感度を表示するエリアである。図では、７／１０と表示され、１０段階中のレベル７であることを示している。「イベント記録履歴件数」は、接近監視モード時のイベント記録の件数を表示するエリアである。
【０１６９】
録画モード設定ボタン９２ｂは、左右に「常時録画ボタン」と「イベント記録ボタン」を備える。これらのボタンは、駐車記録中に一時的に録画モードを変更する場合に使用する。例えば駐車記録中に録画モードを「イベント記録」から「常時録画」に変更する場合、「常時録画ボタン」をタッチする。係るタッチを検知したアプリは、図示省略する「録画モード切替確認画面」を表示し、確認ボタンがタッチされたことを条件として常時録画に切り替える。また、駐車中に「イベント記録」で駐車記録を行う場合、「イベント記録ボタン」をタッチする。係るタッチを検知したアプリは、図示省略する「録画モード切替確認画面」を表示し、確認ボタンがタッチされたことを条件としてイベント記録で駐車記録を開始する。変更は今回のみ反映され、次回の駐車記録時にはモード設定で登録されたモードを実行する。
【０１７０】
停止ボタン９２ｃがタッチされた場合、それを検知したアプリは、駐車記録を停止する。停止した状態で「常時録画ボタン」か「イベント記録ボタン」のいずれかがタッチされた場合、対応する駐車記録を開始する。
【０１７１】
ユーザは、設定画面を操作し、エリアセンサ４８の検出感度（１０段階）の設定、衝撃の感度設定、傾斜センサのＯＮ／ＯＦＦ、ドア開のＯＮ／ＯＦＦ等の設定を行う。感度の設定は、以下のようにして行う。エリア感度設定ボタン９２ｄがタッチされた場合、それを検知したアプリは、図２３（ｂ）に示すように、感度レベル表示部９３と、感度レベル調整部９４と、決定ボタン９５を備える感度設定画面を表示す。感度レベル表示部９３は、車両の周囲に監視エリアを模式化して表す円領域を表示し、上方に現在の感度レベルをテキスト表示する。感度レベル調整部９４は、円形の操作ボタン・スライダーを指でタッチした状態で左右にスライドすることでレベル調整する。本実施形態では、１（近）〜１０（遠）のレベル範囲で調整する。スライダーが左端に位置すると、レベルは１となり、スライダーが右端に位置するとレベルは１０となる。スライダーの左右の移動に伴い、アプリは対応する感度レベルの数値を変化させる。また、感度レベルの変更に応じて車両の周囲を囲む円領域の直径を変えるとよい。このようにすると、レベルが小さいほど直径も小さくなるように表示し、感度が直感的に理解できるので良い。決定ボタン９５がタッチされると、そのときの感度レベル調整部９４により設定されている感度レベルに決定され、以後、決定した感度でエリアセンスを行う。
【０１７２】
ドライブレコーダー１０で撮影し、メモリカードに記録した録画ファイルは、例えば、パーソナルコンピュータで扱い可能となる。例えばパーソナルコンピュータに接続したリーダーライターにメモリカードをセットした状態で、パーソナルコンピュータからメモリカードにアクセスし、所望の録画ファイルをパーソナルコンピュータに取り込んだり、その取り込んだ録画ファイルをスマートフォンに転送したりすることができる。
【０１７３】
アプリは、スマートフォンに転送され、スマートフォン内に保存した録画ファイルを再生する機能を備える。例えば、図２３（ａ）等に示す設定画面の下方に配置した「スマホ内映像ボタン」がタッチされたことを検知すると、アプリは、スマートフォン内に保存された録画ファイルを検索し、一覧リストを表示する（図２３（ｃ）参照）。ユーザは、この一覧リストから再生したい録画ファイルをタッチする。係るタッチを検知したアプリは、対応する録画ファイルを読み出し、表示部９１に再生表示する（図２３（ｄ）参照）。このスマートフォンに保存した録画ファイルの再生に際し、後述するドライブレコーダー内に保存された録画ファイルの映像に対する処理と同様の処理が行える。
【０１７４】
スマートフォンにダウンロードしたアプリは、ドライブレコーダー１０と無線ＬＡＮ接続することにより、ドライブレコーダー１０で撮影した映像や保存した録画ファイルを再生等する機能を備える。録画ボタン３３を押下してドライブレコーダー１０における録画を停止する。この録画を停止した状態で、スマートフォンが備えるＷｉＦｉ接続機能を用い、ドライブレコーダー１０と無線ＬＡＮ接続を行う。
【０１７５】
アプリを起動すると、スマートフォンとドライブレコーダー１０がBluetooth接続されている場合には、図２３（ａ）に示す設定画面を表示し、Bluetooth接続されていない場合には接続を促す画面を表示する。いずれの画面も、表示部９１の下方には、レコーダ接続ボタンと、スマホ内映像ボタンを備える。そして、ユーザは、レコーダ接続ボタンをタッチする。そのタッチを検知したアプリは、図２４（ａ）に示すレコーダ接続対象一覧リストを表示する。
【０１７６】
ユーザは、リスト一覧から接続対象のドライブレコーダー１０をタッチする。そのタッチを検知したアプリは、図２４（ｂ）に示す確認メッセージを重ねて表示し、「ＯＫ」または「次回から表示しない」がタッチされたたら、現在カメラ部１２で撮影しているライブ映像を受信し、スマートフォンの表示部９１に表示する（図２４(ｃ)等参照）。このライブ映像の表示機能を利用し、例えば、図８を引用して説明したカメラ部１２の角度調整を行う。
【０１７７】
また、図２４（ｄ）に示すように、ライブ映像を表示するエリアに下の左側に、「本体録画ボタン」を配置し、右側に「スマートフォン録画タン」を配置する。そして、本体録画ボタンが押下された場合、アプリはドライブレコーダー１０に対して録画指示を送り、それを受けてドライブレコーダー１０の制御部は、メモリカードに録画ファイルを保存する。また、スマートフォン録画タンが押下された場合、アプリは撮影した動画を直接スマートフォンの記憶メモリに保存する。このとき、ドライブレコーダー１０には保存しない。このようにスマートフォンを操作して撮影した映像の記録を指示できる。係る操作は、ユーザの手元で、しかも、ドライブレコーダー１０のボタンに比べて大きい画面に対する処理のため、操作性が向上するので良い。
【０１７８】
さらに、スマートフォンを横に向けると、図２４（ｅ）に示すようにアプリは撮影した映像を全画面表示に切替る。アプリは、数秒で録画時間などの情報表示を消し、映像のみを表示する。全画面表示で映像のみを表示中に、画面がタッチされた場合、アプリは当該録画時間などの情報を再表示する。
【０１７９】
図２５は、ドライブレコーダー１０の設定変更画面の一例を示している。図２５（ａ）は、録画条件の設定画面である。図は、初期値を示しており、録画コマ数は１５コマ／秒で、各種の動作設定はＯＮとなり、Ｇセンサ感度は各軸とも１．００Ｇ以上で動作する設定にしている。ＯＮ／ＯＦＦの切替は、対応する項目をタッチする都度、ＯＮとＯＦＦを交互に切り替える。録画コマ数は、例えば「３０コマ／秒、１５コマ／秒１０コマ／秒、５コマ／秒」のように、選択可能なコマ数が決まっており、タッチする都度切り替わる。また、長押しにより選択可能なコマ数を示すプルダウンメニューリストを表示し、そこからタッチして選択するようにしてもよい。Ｇセンサ感度は、「○」のスライダーを左右に移動することで軸毎に感度を０．１ステップで設定する。
【０１８０】
図２５（ｂ）はエリアセンサ４８を用いた接近監視モードの設定画面である。図は、初期値を示しており、各項目をそれぞれタッチし、変更する。録画コマ数は、接近監視モード時の録画コマ数を設定するもので、３０コマ／秒、１５コマ／秒、１０コマ／秒、５コマ／秒、１コマ／秒から選択する。接近監視モード移行時間は、車両のエンジンＯＦＦ（ＡＣＣ  ＯＦＦ)から駐車記録開始までの時間を設定するもので、３分後と５分後から選択する。カメラ待機時間は、カメラを起動してから停止するまでの時間を設定するもので、１分間、２分間、３分間、４分間から選択する。記録時間（マルチバッテリー未接続時）は、外部バッテリー・外聞電源装置を接続していないときの駐車記録時間を設定するもので、３０分、１時間から選択する。記録時間（マルチバッテリー接続時）は、外部バッテリー・外聞電源装置を接続しているときの駐車記録時間を設定するもので、使用しない、３０分、１時間、２時間、３時間、４時間、６時間、１２時間から選択する。検出電圧設定は、車両バッテリーの電圧が設定以下になった場合に電源ＯＦＦする機能における当該電圧を設定するもので１２．６Ｖ、１２．３Ｖ、１２．２Ｖ、１１．９Ｖから選択する。傾斜センサやドア開センサは、それぞれのセンサによる検知を行うか否かを選択するものである。衝撃感度は、イベント記録開始の衝撃感度を設定するもので、ＯＦＦ、１〜１０で設定する。マイクロ波センサエリア検出感度は、エリアセンサによる検知エリア内への人等の侵入を検知するためのエリア検出感度を設定するもので、ＯＦＦ、１〜１０の間で設定する。マイクロ波センサ近接近感度は、イベント記録開始の近接近を検知するための感度を設定するものでＯＦＦ、１〜１０の間で設定する。
【０１８１】
ドライブレコーダー１０で録画した映像は、パーソナルコンピュータにインストールした専用ビューアソフトを用いることで、例えばＧｏｏｇｌｅ Ｍａｐｓなどの地図と連動させて表示することができる。パーソナルコンピュータの記憶部にインストールされているアプリケーションプログラム（本実施形態では、「ＰＣビューア」と称する）を起動することで、パーソナルコンピュータがドライブレコーダー用表示装置として動作する。ドライブレコーダー１０は、走行中や駐車中等において撮影した映像や音声並びに日時情報・速度情報等の記録映像に関連する各種の情報をメモリカード３６に記録する。ユーザは、メモリカード３６に記録した映像等を再生する場合、メモリカードスロットからメモリカード３６を取り出し、パーソナルコンピュータのリーダーライターにセットする。起動したＰＣビューアを実行し、走行中等において記録した映像等を表示部に表示する。ＰＣビューアの具体的な機能は、以下の通りである。
【０１８２】
図２６は、ＰＣビューアを起動し、記録した映像を選択し、再生実行した状態のパーソナルコンピュータの表示部に表示した表示レイアウトの一例を示している。表示画面１００の左側には、上からメニューバー、カレンダー表示部、再生リスト表示部１０２、地図表示部１０３などを有し、その右横の大きな領域に、選択したデータの映像を表示する映像表示エリア１０１を配置する。映像表示エリア１０１の下側には、情報表示部１０５や、加速度センサーグラフ・加速度プロット図表示部１０４等を備える。
【０１８３】
読み込まれた映像の自車位置情報に基づき、周辺の地図、例えばＧｏｏｇｌｅＭａｐｓ等を取得するとともに地図表示部１０３に表示し、その地図に連動して自車位置アイコンを移動する。インターネットに接続されていないと、周辺の地図は表示しない。
【０１８４】
加速度センサーグラフ・加速度プロット図表示部１０４は、記録した加速度に関するデータを表示するエリアであり、図２６（ｂ）に示す加速度センサーグラフ或いは図２６（ｃ）に示す加速度プロット図を表示するエリアである。加速度センサーグラフは、記録したデータを加速度（縦軸）と時間（横軸）でグラフ表示するものである。＋ボタンをクリックすると加速度センサースケールが拡大し、−ボタンをクリックすると加速度センサースケールが縮小する。上部の拡大縮小ボタンは時間の拡大縮小を行い、横部の拡大縮小ボタンは加速度の拡大縮小になる。加速度プロット図は、記録したデータをＸ軸とＹ軸のプロット図で表示する。＋ボタンをクリックすると加速度プロット図が拡大し、−ボタンをクリックすると加速度プロット図が縮小する。
【０１８５】
映像表示エリア１０１の右側には、再生画面ツールを表示する。ＰＣビューアは、この再生画面ツールの各アイコンをクリックすることで表示態様を変える機能を有する。例えば、図２７（ａ）に示す「魚眼表示」は、録画した画像をそのままそのまま（魚眼状態）表示する表示態様である。図２７（ｂ）に示す「拡大フラット表示」は、一部を拡大して平面上に表示する表示態様である。図２７（ｃ）に示す「パノラマ表示」は、水平360度方向を横長に一枚の画像で表示する表示態様である。図２７（ｄ）に示す「リング型表示」は、パノラマ画像をリング状態の画像で表示する表示態様である。図２７（ｅ）に示す「ドーム型表示」は、ドーム状の画像で表示する表示態様である。図２７（ｆ）に示す「１８０°ＶＲパノラマ表示」は、パノラマ画像をＶＲで表示する表示態様である。
【０１８６】
［変形例］
上述した実施形態では、エリアセンサは、準ミリ波等のマイクロ波を用いた電波センサを用いたが、使用する電波は、準ミリ波以外のマイクロ波やミリ波等も使用して良い。物体の移動等を検知する電波式モーションセンサや準ミリ波モーションセンサ等と称されるもでも良い。
【０１８７】
リング部１６は、実施形態では連続した環状としているが、例えばＣリングのように一部が切り欠かれたものでも良い。但し連続した環状の方が本体部１１をしっかり保持できるので好ましい。また、リング部１６に対して本体部１１が着脱可能としているが、着脱不能に連携されていても良い。
【０１８８】
上述した実施形態では、カメラケース４０には、カメラユニット８７を実装し、メモリカードスロット、メインＣＰＵ・電源回路等は、本体部の筐体２０に実装したが、一部をカメラケース４０側に設けても良い。
【０１８９】
上述した実施形態では、撮影用ランプ４４を設け、その撮影用ランプの制御は、点灯／消灯とし、ランプの明るさ・輝度は固定としたが、周囲の明るさに対応し発光する明るさを変えると良い。変える場合、ダイナミックに変えるとよい。点滅・ＰＷＭ制御を行うとＬＥＤが映り込んでしまうので、電流値を変えて制御すると良い。
【０１９０】
上述した実施形態では、反射体６８は、二段階に変化したが、三段階以上やラッパ状の曲面としても良く、係る構成にすると放射する範囲を広範囲にしつつ、特定の方向の放射レベルを強くするなど放射パターンを調整することができるので好ましい。また、１８０度近くの広い範囲まで放射しなくて良い場合には、側面の傾斜角度が１つの単純な円錐形としても良い。但し、水平面内で均一に検知し、どの方向から接近してきても検知する接近監視を行うためには、実施形態のように２段階とすると良い。
【０１９１】
上述した実施形態では、本体部１１のブラケット１３に対する装着方向のバリエーションは、カメラを中央に位置させることを目的とし、また、操作しやすい場所に位置させることも別の目的とした。これに以外にも、例えば赤外センサのように向きがあるものを実装する場合に適用しても良い。また、ドライブレコーダー１０の軸方向に検知エリアを備えた場合、ブラケットの左右いずれからも取り付ける構造にすると、状況に応じた取り付け態様がとれるので良い。また、センサに限らずアンテナなどの他、非対称性があるものについて適用すると良い。例えばワイファイを飛ばすアンテナの場合、自宅の駐車場の位置と自宅の位置から、片側に指向性が強いアンテナがあると、その指向性が強い側に自宅が来るように取り付ける。また、センシングや伝達に限らず、例えば、発光部を備え、発光量や、設置した種類が非対称の場合に取り付け方法を調整すると良い。例えば、運転席側を光量を大きくして助手席側を光量を小さくしたり、或いはその逆にしたり、駐車時のセキュリティの威嚇等を想定した場合、外に見えやすい側に向けて発光することなどに対応できる。
【０１９２】
また、上述した実施形態では、アンテナ５１・エリアセンサ４８から平面内の全周囲に電波が放射するような放射パターンとしたが、本発明はこれに限ることはなく、周囲の一部分で放射が弱かったり放射されなかったりする部分があっても良い。その場合、車両に取り付けた場合に当該部分の方向に、ピラー等の車内から車外を見た場合の障害物が存在するようにすると良い。このようにすると、当該方向は元々ピラー等により車外を撮影できないので、電波が放射されなくても影響が少なく、また、当該方向に電波が放射されないことで他の方向への電波を遠くまで飛ばせるので良い。
【０１９３】
上述した実施形態では、アンテナ５１の形状を所望に設定し、センサモジュール５０から出力された電波をアンテナ５１の各部で反射等させ、所望の方向に電波を放射するようにした。本発明はこれに限ることはなく、アンテナ５１とは別に適宜位置に反射素子等を配置し、放射パターンを調整すると良い。
【０１９４】
例えば、上下に配置した上下に配置した遮断用プレート６６から外側に所定距離離れた位置に、反射素子を配置する。このようにすると、遮断用プレート６６からの放射を反射素子により戻し、上下方向以外の放射利得を、向上させることができる。所定距離は、例えば１／２λや１／４λとすると良い。
【０１９５】
開口部７０の一方を、その開口部７０から外側に所定距離だけ離した位置に反射素子を追加するとよい。このようにすると、反射素子を追加した側の開口部から放射された電波は、その反射素子により戻され、反対側の開口部７０に向けて進む。そして、反射体６８で振り分けられてもとから当該反対側の開口部７０に向けて進む電磁波の同相合成を行い、当該反対側の開口部７０から放射される電波の利得を向上させることができるのでよい。
【０１９６】
係る反射素子は、例えばリング部１６の所定位置に金属テープを貼ることで実現できる。特に上述した実施形態では、アンテナ５１の開口部７０の外にリング部１６が配置されているため、リング部１６の所定位置に貼付けることで開口部７０〜所定距離離れた位置に反射素子を配置した構成を撮れる。金属テープは、リング部１６の内周面に貼ると良い。
【０１９７】
また、リング部１６における金属テープを貼る位置を変えることで、例えば、車両の前方に向けての放射の利得を高くしたり、車室内に向けての放射の利得を高くしたりすることができる。また、上述した遮断用プレート６６の外側に配置する反射素子も、リング部１６の所定位置に金属テープを貼ることで実現可能となる。そして、リング部１６の所望位置に金属テープを貼り付けたブラケットを複数種用意しておく。例えば、「前後撮りたい用ブラケット」、「前中心撮りたい用ブラケット」、「後中心撮りたい用ブラケット」を用意し、ユーザは、自分の好みに合ったブラケットを用いてドライブレコーダー１０を取り付けるようにすると良い。
【０１９８】
また、上述した実施形態では、センサモジュール５０の電波の出射口５０ｅは縦長の長方形としたが、円形としても良く、偏波は直線偏波と円偏波のいずれも可能である。但し、実施形態のように矩形状にすると、スリット６９との対応もとりやすく好ましい。
【０１９９】
センサモジュール５０の電波を出力する機能を、導波管を用いて構成したが、本発明はこれに限ることはなく例えばマイクロストリップパッチ構造やスロット構造などを用いて給電を行うようにしても良い。その場合、磁界方向は上下一対の遮断プレート間を結ぶ上下方向とすると良い。パッチの形状は矩形状その他任意の形状とする。但し、実施形態のように導波管タイプにすると、例えばフランジ部５０ｆを枠体６５にセットすることで、アンテナ５１とセンサモジュール５０・給電点との相対位置関係の設定、固定並びに接地がとれるのでよい。
【０２００】
上述した実施形態では、撮影手段は、カメラ部１２に実装した半天球或いは半天球よりも広い範囲を撮影する一つのカメラのように半天球カメラ或いは半天球カメラよりもさらに広い範囲を撮影できるカメラとしたが、本発明はこれに限ることはなく、例えば、水平方向に３６０度、垂直方向に３６０度の全天球を撮影可能な全天球カメラや、周囲３６０°の検出・撮影範囲を全方位カメラや、２つのカメラを視野方向逆向きに配置して前方と後方を撮影するというように、１８０度反対方向を含む撮影範囲を備えるものであれば良いが、特に実施形態で用いた半天球カメラ（半天球以上の範囲を撮影できるカメラを含む）、全天球カメラとするとよい。
【０２０１】
全方位カメラは、例えば上部に取り付けられた全方位ミラーに周囲の風景を反射させ、上向きに取り付けられたカメラよりその映像を撮影することで、周囲３６０°の撮影範囲を備えるものである。全方位ミラーの形状は、例えば円錐、半球、放物曲面など各種のものを用いることができる。ミラーの下方頂点付近は、上向きに配置したカメラが写ってしまうので、垂直方向には水平面に対し、上方約１０〜１５°、下方約５５°の範囲となり、真下の方向の景色が撮影できない。そのため、例えば車室内を撮影するのに適さない。
【０２０２】
これに対し、実施形態に示す半天球或いは半天球よりも広い範囲を撮影する一つのカメラのような半天球カメラ或いは半天球カメラよりもさらに広い範囲を撮影できるカメラや、全天球カメラは、例えば水平３６０度、垂直１８０度以上の画角を持つレンズと、そのレンズで集光した光を撮影する撮像素子を備えて構成される。そして、３６０度の周囲と、その周囲の方向に直交する方向に対して連続した１８０度以上の空間が撮影範囲となるので、例えば車室内を含め前後方向にも連続した空間を撮影できるので良い。
【０２０３】
上述した実施形態では、エリアセンサをドライブレコーダーに実装した例を説明したが、このエリアセンサは、ドライブレコーダー以外の各種の装置・システムに実装すると良い。適用例としては、例えば、コミュニケーションをとる機器等に適用できる。
【０２０４】
例えばコミュニケーションをとる機器の一例であるコミュニケーションロボットの場合、エリアセンサ４８を平面が水平面になるようにロボット本体の所定位置に取り付ける。所定位置は、例えば下方や頭の所定位置とすると良い。特に下方に配置すると、目立たずに実装できるので良い。ロボットを中心に水平方向の全周囲の検知ができ、例えば部屋に人が進入してきたり、部屋からいなくなったことなどを検知できる。自走式と固定式のいずれのロボットにも適用できる。自動搬送ロボットは、通常、ライダーを用いて移動方向の１次元方向しか見られないが、これを使うと全周囲が見られるので良い。アンテナなので、装着するシステム・検知アルゴリズムを変え、物体検知に変えて物体までの距離がわかるようにすればよく、障害物にぶつからないための検知に使える。
【０２０５】
また、例えば固定式のロボットにおいて、ドライブレコーダーのように前後ではなく
アンテナ５１の一対の開口部７０がロボットの左右に向くようにし、左右方向にメインローブ放射を行い、検知範囲を広くするように設置すると良い。
【０２０６】
また、ロボット以外のコミュニケーション機器にセンサを実装し、人の移動・接近・離反等の検知出力に基づいて応答をするようにすると良い。
【０２０７】
また、例えばセンサの検知範囲を適宜に設定し、寝たきりの老人の動きを検知し、動きが無くなったら報知したり、ベッドからの転落を検知したら報知したり、徘徊で部屋から出て行くなど検知範囲から外れた場合に報知することなどに利用すると良い。監視エリアが広いので、一つのセンサで監視できるのでよい。
【０２０８】
また、センサの検知領域の平面の方向を垂直平面にし、当該垂直平面内を監視エリアにする。放射パターンは、鏡餅のように潰れているので、水平方向の広がりは少ない。よって、ゲートに配置すると、直前までは検知せず、ゲートを通過しようとすると検知できる。
【０２０９】
また上述した実施形態では、全周囲に向けて電波を放射するのを基本としたか、放射方向を例えば２方向のように絞り込み、複数のアンテナを珠々つなぎに配置し、エリア全体をカバーする。隣接するペアとなるアンテナは、送受信タイプで周波数を変え、差の周波数を検知し対向型検出器にかえる。このときずらすのは１ＭＨｚ以上がよい。そして、アンテナ間を通過すると、それを検知することができ、どの箇所から侵入／脱出があったかを検出することができる。
【０２１０】
以上、本発明の様々な側面を実施形態並びに変形例等を用いて説明してきたが、これらの実施形態や説明は、本発明の範囲を制限する目的でなされたものではなく、本発明の理解に資するために提供されたものであることを付言しておく。
【０２１１】
本発明の範囲は，明細書に明示的に説明された構成に限定されるものではなく，本明細書に開示される本発明の様々な側面の組み合わせをも，その範囲に含むものである。本発明のうち，特許を受けようとする構成を，添付の特許請求の範囲に特定したが，現在の処は特許請求の範囲に特定されていない構成であっても，本明細書に開示される構成を，将来的に特許請求の範囲とする意思を有する。本願出願人は、そのような箇所・組み合わせについて、補正・分割出願・意匠登録出願への変更出願等により権利を取得する意思を有する。
【０２１２】
本願発明は上述した実施の形態に記載の構成に限定されない。上述した各実施の形態や変形例の構成要素は任意に選択して組み合わせて構成するとよい。また各実施の形態や変形例の任意の構成要素と，発明を解決するための手段に記載の任意の構成要素または発明を解決するための手段に記載の任意の構成要素を具体化した構成要素とは任意に組み合わせて構成するとよい。これらについても本願の補正または分割出願等において権利取得する意思を有する。
【０２１３】
また，意匠出願への変更出願により，全体意匠または部分意匠について権利取得する意思を有する。図面は本装置の全体を実線で描画しているが，全体意匠のみならず当該装置の一部の部分に対して請求する部分意匠も包含した図面である。例えば当該装置の一部の部材を部分意匠とすることはもちろんのこと，部材と関係なく当該装置の一部の部分を部分意匠として包含した図面である。当該装置の一部の部分としては，装置の一部の部材としても良いし，その部材の部分としても良い。全体意匠はもちろんのこと，図面の実線部分のうち任意の部分を破線部分とした部分意匠を，権利化する意思を有する。
【符号の説明】
【０２１４】
１      ：車両
２      ：フロントガラス
１０    ：ドライブレコーダー
１１    ：本体部
１２    ：カメラ部
１３    ：ブラケット
１６    ：リング部
１７    ：固定板部
２０    ：筐体
２１    ：第一ケース
２２    ：第二ケース
２３    ：歯部
２５    ：歯部
２６    ：ナット部材
３０    ：水平ライン
３８    ：インナーケース
３８ｃ  ：本体側第一歯部
３８ｄ  ：本体側第二歯部
４０    ：カメラケース
４１    ：第一レンズホルダー
４２    ：第二レンズホルダー
４２ｂ  ：湾曲部
４３    ：レンズ
４８    ：エリアセンサ
５０    ：センサモジュール
５０ｅ  ：出射口
５０ｆ  ：フランジ部
５１    ：アンテナ
５８    ：シールドケース
６５    ：枠体
６６    ：遮断用プレート
６７    ：遮蔽板
６８    ：反射体
６９    ：スリット
７０    ：開口部
７１    ：第一フィン
７２    ：第二フィン
７３    ：突片
７５    ：金属素子
８６ａ  ：カメラ側第一歯部
８６ｂ  ：カメラ側第二歯部
８６ｃ  ：係止凸部
８７    ：カメラユニット
Ｐ      ：給電ポイント
【図１】
2019032720.tif 000003
【図２】
2019032720.tif 000004
【図３】
2019032720.tif 000005
【図４】
2019032720.tif 000006
【図５】
2019032720.tif 000007
【図６】
2019032720.tif 000008
【図７】
2019032720.tif 000009
【図８】
2019032720.tif 000010
【図９】
2019032720.tif 000011
【図１０】
2019032720.tif 000012
【図１１】
2019032720.tif 000013
【図１２】
2019032720.tif 000014
【図１３】
2019032720.tif 000015
【図１４】
2019032720.tif 000016
【図１５】
2019032720.tif 000017
【図１６】
2019032720.tif 000018
【図１７】
2019032720.tif 000019
【図１８】
2019032720.tif 000020
【図１９】
2019032720.tif 000021
【図２０】
2019032720.tif 000022
【図２１】
2019032720.tif 000023
【図２２】
2019032720.tif 000024
【図２３】
2019032720.tif 000025
【図２４】
2019032720.tif 000026
【図２５】
2019032720.tif 000027
【図２６】
2019032720.tif 000028
【図２７】
2019032720.tif 000029